(57)【要約】      （修正有）【課題】第１色の光および第２色の光の混色均一性を向上させる。【解決手段】基板2に実装されたＬＥＤ光源がランプケース5およびカバーレンズ6内に収容された電球互換型ＬＥＤランプ100において、環状に配列されたＬＥＤ光源に対応する位置に概略すり鉢状の穴を有する反射部材3を基板2上に配置し、複数の穴に第１色の光を発する第１蛍光体を含有する透光性樹脂と、第２色の光を発する第２蛍光体を含有する透光性樹脂とを周方向に交互に注入し、複数の穴から照射された第１色の光及び第２色の光の一部を反射して基板2の側に戻す粒子状反射材をカバーレンズ6に含有させ、基板2の側に戻された第１色の光および第２色の光を反射するために、反射部材3の複数の穴の間の部分を曲面によって構成した。【選択図】図３
2012074417.tif 000002
【特許請求の範囲】
【請求項１】
少なくとも第１色の光を照射する第１ＬＥＤ光源（１１ａ）と第２色の光を照射する第２ＬＥＤ光源（１１ｂ）とを基板（１２）に実装し、
第１ＬＥＤ光源（１１ａ）および第２ＬＥＤ光源（１１ｂ）を収容するための概略すり鉢状の穴（１３−１）を有する反射部材（１３）を基板（１２）上に配置し、
概略すり鉢状の穴（１３−１）に透光性樹脂（１４）を注入し、
第１ＬＥＤ光源（１１ａ）と第２ＬＥＤ光源（１１ｂ）と反射部材（１３）と透光性樹脂（１４）とを覆うカバーレンズ（１６）を配置し、
透光性樹脂（１４）を透過せしめられた第１ＬＥＤ光源（１１ａ）からの第１色の光および透光性樹脂（１４）を透過せしめられた第２ＬＥＤ光源（１１ｂ）からの第２色の光の一部を反射するための反射手段をカバーレンズ（１６）に設け、
基板（１２）の側に戻された第１色の光および第２色の光を反射するために、反射部材（１３）の概略すり鉢状の穴（１３−１）の周囲部分（１３ａ）を曲面によって構成したことを特徴とするＬＥＤランプ（１００）。
【請求項２】
少なくとも第１ＬＥＤ光源（２１ａ）と第２ＬＥＤ光源（２１ｂ）とを基板（２２）に実装し、
第１ＬＥＤ光源（２１ａ）に対応する位置に概略すり鉢状の第１穴（２３−１）を有し、第２ＬＥＤ光源（２１ｂ）に対応する位置に概略すり鉢状の第２穴（２３−２）を有する反射部材（２３）を基板（２２）上に配置し、
第１ＬＥＤ光源（２１ａ）からの光によって励起されて第１色の光を発する第１蛍光体が含有せしめられた第１透光性樹脂（２４ａ）を概略すり鉢状の第１穴（２３−１）に注入し、
第２ＬＥＤ光源（２１ｂ）からの光によって励起されて第２色の光を発する第２蛍光体が含有せしめられた第２透光性樹脂（２４ｂ）を概略すり鉢状の第２穴（２３−２）に注入し、
第１ＬＥＤ光源（２１ａ）と第２ＬＥＤ光源（２１ｂ）と反射部材（２３）と第１透光性樹脂（２４ａ）と第２透光性樹脂（２４ｂ）とを覆うカバーレンズ（２６）を配置し、
第１透光性樹脂（２４ａ）からの少なくとも第１色の光および第２透光性樹脂（２４ｂ）からの少なくとも第２色の光の一部を反射するための反射手段をカバーレンズ（２６）に設け、
基板（２２）の側に戻された少なくとも第１色の光および第２色の光を反射するために、反射部材（２３）の概略すり鉢状の第１穴（２３−１）および概略すり鉢状の第２穴（２３−２）の間および周囲の部分（２３ａ）を曲面によって構成したことを特徴とするＬＥＤランプ（１００）。
【請求項３】
基板（２）に実装されたＬＥＤ光源（１−１，１−２，１−３，１−４，１−５，１−６，１−７，１−８，１−９，１−１０，１−１１，１−１２，１−１３，１−１４，１−１５，１−１６，１−１７，１−１８）がランプケース（５）とカバーレンズ（６）とによって画定される空間内に収容され、ランプケース（５）に形成された給電部（５ｂ）を介してＬＥＤ光源（１−１，１−２，１−３，１−４，１−５，１−６，１−７，１−８，１−９，１−１０，１−１１，１−１２，１−１３，１−１４，１−１５，１−１６，１−１７，１−１８）に電流が供給される電球互換型ＬＥＤランプ（１００）において、
第１の半径を有する第１円（Ｃ１）上に複数のＬＥＤ光源（１−１，１−２，１−３，１−４，１−５，１−６）が等間隔で位置するように、複数のＬＥＤ光源（１−１，１−２，１−３，１−４，１−５，１−６）を基板（２）に実装し、
第１の半径より大きい第２の半径を有する第２円（Ｃ２）上に複数のＬＥＤ光源（１−７，１−８，１−９，１−１０，１−１１，１−１２，１−１３，１−１４，１−１５，１−１６，１−１７，１−１８）が等間隔で位置するように、複数のＬＥＤ光源（１−７，１−８，１−９，１−１０，１−１１，１−１２，１−１３，１−１４，１−１５，１−１６，１−１７，１−１８）を基板（２）に実装し、
各ＬＥＤ光源（１−１，１−２，１−３，１−４，１−５，１−６，１−７，１−８，１−９，１−１０，１−１１，１−１２，１−１３，１−１４，１−１５，１−１６，１−１７，１−１８）に対応する位置に概略すり鉢状の穴（３−１，３−２，３−３，３−４，３−５，３−６，３−７，３−８，３−９，３−１０，３−１１，３−１２，３−１３，３−１４，３−１５，３−１６，３−１７，３−１８）を有する反射部材（３）を基板（２）上に配置し、
第１円（Ｃ１）上に等間隔で配列された複数の概略すり鉢状の穴（３−１，３−２，３−３，３−４，３−５，３−６）に、第１色の光を発する第１蛍光体が含有せしめられた第１透光性樹脂（４ａ）と、第２色の光を発する第２蛍光体が含有せしめられた第２透光性樹脂（４ｂ）とを周方向に交互に注入し、
第２円（Ｃ２）上に等間隔で配列された複数の概略すり鉢状の穴（３−７，３−８，３−９，３−１０，３−１１，３−１２，３−１３，３−１４，３−１５，３−１６，３−１７，３−１８）に、第１色の光を発する第１蛍光体が含有せしめられた第１透光性樹脂（４ａ）と、第２色の光を発する第２蛍光体が含有せしめられた第２透光性樹脂（４ｂ）とを周方向に交互に注入し、
第１円（Ｃ１）上の複数の概略すり鉢状の穴（３−１，３−２，３−３，３−４，３−５，３−６）から照射された少なくとも第１色の光および第２色の光の一部、並びに、第２円（Ｃ２）上の複数の概略すり鉢状の穴（３−７，３−８，３−９，３−１０，３−１１，３−１２，３−１３，３−１４，３−１５，３−１６，３−１７，３−１８）から照射された少なくとも第１色の光および第２色の光の一部を反射して基板（２）の側に戻すための粒子状反射材をカバーレンズ（６）に含有させ、
基板（２）の側に戻された少なくとも第１色の光および第２色の光を反射するために、反射部材（３）の複数の概略すり鉢状の穴（３−１，３−２，３−３，３−４，３−５，３−６，３−７，３−８，３−９，３−１０，３−１１，３−１２，３−１３，３−１４，３−１５，３−１６，３−１７，３−１８）の間の部分（３ａ）を曲面によって構成したことを特徴とする電球互換型ＬＥＤランプ（１００）。
【請求項４】
第２の半径より大きい第３の半径を有する第３円（Ｃ３）上に複数のＬＥＤ光源（１−１９，１−２０，１−２１，１−２２，１−２３，１−２４，１−２５，１−２６，１−２７，１−２８，１−２９，１−３０）が等間隔で位置するように、複数のＬＥＤ光源（１−１９，１−２０，１−２１，１−２２，１−２３，１−２４，１−２５，１−２６，１−２７，１−２８，１−２９，１−３０）を基板（２）に実装し、
各ＬＥＤ光源（１−１９，１−２０，１−２１，１−２２，１−２３，１−２４，１−２５，１−２６，１−２７，１−２８，１−２９，１−３０）に対応する位置に概略すり鉢状の穴（３−１９，３−２０，３−２１，３−２２，３−２３，３−２４，３−２５，３−２６，３−２７，３−２８，３−２９，３−３０）を配置し、
第３円（Ｃ３）上に等間隔で配列された複数の概略すり鉢状の穴（３−１９，３−２０，３−２１，３−２２，３−２３，３−２４，３−２５，３−２６，３−２７，３−２８，３−２９，３−３０）に、第１色の光を発する第１蛍光体が含有せしめられた第１透光性樹脂（４ａ）と、第２色の光を発する第２蛍光体が含有せしめられた第２透光性樹脂（４ｂ）とを周方向に交互に注入し、
ランプケース（５）に形成された給電部（５ｂ）を介してＬＥＤ光源（１−１９，１−２０，１−２１，１−２２，１−２３，１−２４，１−２５，１−２６，１−２７，１−２８，１−２９，１−３０）に電流を供給し、
第１円（Ｃ１）上の複数の概略すり鉢状の穴（３−１，３−２，３−３，３−４，３−５，３−６）から照射された少なくとも第１色の光および第２色の光の一部、第２円（Ｃ２）上の複数の概略すり鉢状の穴（３−７，３−８，３−９，３−１０，３−１１，３−１２，３−１３，３−１４，３−１５，３−１６，３−１７，３−１８）から照射された少なくとも第１色の光および第２色の光の一部、並びに、第３円（Ｃ３）上の複数の概略すり鉢状の穴（３−１９，３−２０，３−２１，３−２２，３−２３，３−２４，３−２５，３−２６，３−２７，３−２８，３−２９，３−３０）から照射された少なくとも第１色の光および第２色の光の一部を、カバーレンズ（６）に含有せしめられた粒子状反射材によって反射して基板（２）の側に戻し、
基板（２）の側に戻された少なくとも第１色の光および第２色の光を反射するために、反射部材（３）の複数の概略すり鉢状の穴（３−１，３−２，３−３，３−４，３−５，３−６，３−７，３−８，３−９，３−１０，３−１１，３−１２，３−１３，３−１４，３−１５，３−１６，３−１７，３−１８，３−１９，３−２０，３−２１，３−２２，３−２３，３−２４，３−２５，３−２６，３−２７，３−２８，３−２９，３−３０）の間の部分（３ａ）を曲面によって構成したことを特徴とする請求項３に記載の電球互換型ＬＥＤランプ（１００）。
【請求項５】
円筒状根元部分（６ａ）と半球状先端部分（６ｂ）とを有するカバーレンズ（６）を用い、
複数の概略すり鉢状の穴（３−１，３−２，３−３，３−４，３−５，３−６，３−７，３−８，３−９，３−１０，３−１１，３−１２，３−１３，３−１４，３−１５，３−１６，３−１７，３−１８，３−１９，３−２０，３−２１，３−２２，３−２３，３−２４，３−２５，３−２６，３−２７，３−２８，３−２９，３−３０）から照射された少なくとも第１色の光および第２色の光の一部を、カバーレンズ（６）の円筒状根元部分（６ａ）の内側表面（６ａ２）によって全反射することを特徴とする請求項４に記載の電球互換型ＬＥＤランプ（１００）。
【発明の詳細な説明】
【技術分野】
【０００１】
本発明は、基板に実装された複数のＬＥＤ光源と、概略すり鉢状の穴を有する反射部材と、概略すり鉢状の穴に注入された透光性樹脂と、カバーレンズとを具備するＬＥＤランプに関する。
【０００２】
詳細には、本発明は、反射部材の概略すり鉢状の穴に注入された透光性樹脂から少なくとも第１色の光および第２色の光が照射されるＬＥＤランプに関し、特には、第１色の光および第２色の光の混色均一性を向上させることができるＬＥＤランプに関する。
【背景技術】
【０００３】
従来から、基板に実装されたＬＥＤ光源がカバーレンズによって覆われているＬＥＤランプが知られている。この種のＬＥＤランプの例としては、例えば特許文献１（特開２０１０−１２３８０１号公報）の図２に記載されたものがある。
【０００４】
特許文献１の図２に記載されたＬＥＤランプでは、基板に搭載されたＬＥＤ光源（半導体発光素子）が、蛍光体が混入された透光性封止樹脂によって封止されている。また、ＬＥＤ光源（半導体発光素子）が、基板を支持するランプケース（ベース）とカバーレンズ（透光性カバー）とによって画定される空間内に収容されている。更に、ランプケース（ベース）に形成された給電部（口金）を介してＬＥＤ光源（半導体発光素子）に電流が供給される。
【０００５】
また、従来から、概略すり鉢状の穴を有する反射部材が、ＬＥＤ光源に対応せしめられて基板上に配置されたＬＥＤ発光装置が知られている。この種のＬＥＤ発光装置の例としては、例えば特許文献２（特開２００７−２０１３９２号公報）の図１３に記載されたものがある。特許文献２の図１３に記載されたＬＥＤ発光装置では、ＬＥＤ光源（発光素子）が基板（基体）に搭載されている。また。概略すり鉢状の貫通穴を有する反射部材が、ＬＥＤ光源（発光素子）に対応せしめられて基板（基体）上に配置されている。更に、蛍光体が含有せしめられた透光性樹脂（透光性部材）が概略すり鉢状の貫通穴に注入され、その透光性樹脂（透光性部材）によってＬＥＤ光源（発光素子）が封止されている。
【０００６】
更に、従来から、第１の蛍光体が発する色と、第２の蛍光体が発する色とが混合するように構成されたＬＥＤ発光装置が知られている。この種のＬＥＤ発光装置の例としては、例えば特許文献３（特開２００８−２１８４８５号公報）の段落００６８に記載されたものがある。
【先行技術文献】
【特許文献】
【０００７】
【特許文献１】特開２０１０−１２３８０１号公報
【特許文献２】特開２００７−２０１３９２号公報
【特許文献３】特開２００８−２１８４８５号公報
【特許文献４】特開２００７−２６５７２６号公報
【発明の概要】
【発明が解決しようとする課題】
【０００８】
本発明者は、例えば特許文献１の図２に記載されたＬＥＤランプのような、基板に実装されたＬＥＤ光源がカバーレンズによって覆われているＬＥＤランプであって、概略すり鉢状の穴を有する反射部材が基板上に配置されたＬＥＤランプを改良するための研究を行った。
【０００９】
具体的には、本発明者は、反射部材の概略すり鉢状の穴に透光性樹脂を注入し、透光性樹脂から照射される第１色の光および第２色の光の混色均一性を向上させるための鋭意研究を行った。
【００１０】
その結果、発明者は、第１色の光および第２色の光の混色均一性を向上させるために、カバーレンズをどのように構成する必要があるか、および、概略すり鉢状の穴を有する反射部材をどのように構成する必要があるかについて見い出したのである。
【００１１】
すなわち、本発明は、第１色の光および第２色の光の混色均一性を向上させることができるＬＥＤランプを提供することを目的とする。
【課題を解決するための手段】
【００１２】
請求項１に記載の発明によれば、少なくとも第１色の光を照射する第１ＬＥＤ光源（１１ａ）と第２色の光を照射する第２ＬＥＤ光源（１１ｂ）とを基板（１２）に実装し、
第１ＬＥＤ光源（１１ａ）および第２ＬＥＤ光源（１１ｂ）を収容するための概略すり鉢状の穴（１３−１）を有する反射部材（１３）を基板（１２）上に配置し、
概略すり鉢状の穴（１３−１）に透光性樹脂（１４）を注入し、
第１ＬＥＤ光源（１１ａ）と第２ＬＥＤ光源（１１ｂ）と反射部材（１３）と透光性樹脂（１４）とを覆うカバーレンズ（１６）を配置し、
透光性樹脂（１４）を透過せしめられた第１ＬＥＤ光源（１１ａ）からの第１色の光および透光性樹脂（１４）を透過せしめられた第２ＬＥＤ光源（１１ｂ）からの第２色の光の一部を反射するための反射手段をカバーレンズ（１６）に設け、
基板（１２）の側に戻された第１色の光および第２色の光を反射するために、反射部材（１３）の概略すり鉢状の穴（１３−１）の周囲部分（１３ａ）を曲面によって構成したことを特徴とするＬＥＤランプ（１００）が提供される。
【００１３】
請求項２に記載の発明によれば、少なくとも第１ＬＥＤ光源（２１ａ）と第２ＬＥＤ光源（２１ｂ）とを基板（２２）に実装し、
第１ＬＥＤ光源（２１ａ）に対応する位置に概略すり鉢状の第１穴（２３−１）を有し、第２ＬＥＤ光源（２１ｂ）に対応する位置に概略すり鉢状の第２穴（２３−２）を有する反射部材（２３）を基板（２２）上に配置し、
第１ＬＥＤ光源（２１ａ）からの光によって励起されて第１色の光を発する第１蛍光体が含有せしめられた第１透光性樹脂（２４ａ）を概略すり鉢状の第１穴（２３−１）に注入し、
第２ＬＥＤ光源（２１ｂ）からの光によって励起されて第２色の光を発する第２蛍光体が含有せしめられた第２透光性樹脂（２４ｂ）を概略すり鉢状の第２穴（２３−２）に注入し、
第１ＬＥＤ光源（２１ａ）と第２ＬＥＤ光源（２１ｂ）と反射部材（２３）と第１透光性樹脂（２４ａ）と第２透光性樹脂（２４ｂ）とを覆うカバーレンズ（２６）を配置し、
第１透光性樹脂（２４ａ）からの少なくとも第１色の光および第２透光性樹脂（２４ｂ）からの少なくとも第２色の光の一部を反射するための反射手段をカバーレンズ（２６）に設け、
基板（２２）の側に戻された少なくとも第１色の光および第２色の光を反射するために、反射部材（２３）の概略すり鉢状の第１穴（２３−１）および概略すり鉢状の第２穴（２３−２）の間および周囲の部分（２３ａ）を曲面によって構成したことを特徴とするＬＥＤランプ（１００）が提供される。
【００１４】
請求項３に記載の発明によれば、基板（２）に実装されたＬＥＤ光源（１−１，１−２，１−３，１−４，１−５，１−６，１−７，１−８，１−９，１−１０，１−１１，１−１２，１−１３，１−１４，１−１５，１−１６，１−１７，１−１８）がランプケース（５）とカバーレンズ（６）とによって画定される空間内に収容され、ランプケース（５）に形成された給電部（５ｂ）を介してＬＥＤ光源（１−１，１−２，１−３，１−４，１−５，１−６，１−７，１−８，１−９，１−１０，１−１１，１−１２，１−１３，１−１４，１−１５，１−１６，１−１７，１−１８）に電流が供給される電球互換型ＬＥＤランプ（１００）において、
第１の半径を有する第１円（Ｃ１）上に複数のＬＥＤ光源（１−１，１−２，１−３，１−４，１−５，１−６）が等間隔で位置するように、複数のＬＥＤ光源（１−１，１−２，１−３，１−４，１−５，１−６）を基板（２）に実装し、
第１の半径より大きい第２の半径を有する第２円（Ｃ２）上に複数のＬＥＤ光源（１−７，１−８，１−９，１−１０，１−１１，１−１２，１−１３，１−１４，１−１５，１−１６，１−１７，１−１８）が等間隔で位置するように、複数のＬＥＤ光源（１−７，１−８，１−９，１−１０，１−１１，１−１２，１−１３，１−１４，１−１５，１−１６，１−１７，１−１８）を基板（２）に実装し、
各ＬＥＤ光源（１−１，１−２，１−３，１−４，１−５，１−６，１−７，１−８，１−９，１−１０，１−１１，１−１２，１−１３，１−１４，１−１５，１−１６，１−１７，１−１８）に対応する位置に概略すり鉢状の穴（３−１，３−２，３−３，３−４，３−５，３−６，３−７，３−８，３−９，３−１０，３−１１，３−１２，３−１３，３−１４，３−１５，３−１６，３−１７，３−１８）を有する反射部材（３）を基板（２）上に配置し、
第１円（Ｃ１）上に等間隔で配列された複数の概略すり鉢状の穴（３−１，３−２，３−３，３−４，３−５，３−６）に、第１色の光を発する第１蛍光体が含有せしめられた第１透光性樹脂（４ａ）と、第２色の光を発する第２蛍光体が含有せしめられた第２透光性樹脂（４ｂ）とを周方向に交互に注入し、
第２円（Ｃ２）上に等間隔で配列された複数の概略すり鉢状の穴（３−７，３−８，３−９，３−１０，３−１１，３−１２，３−１３，３−１４，３−１５，３−１６，３−１７，３−１８）に、第１色の光を発する第１蛍光体が含有せしめられた第１透光性樹脂（４ａ）と、第２色の光を発する第２蛍光体が含有せしめられた第２透光性樹脂（４ｂ）とを周方向に交互に注入し、
第１円（Ｃ１）上の複数の概略すり鉢状の穴（３−１，３−２，３−３，３−４，３−５，３−６）から照射された少なくとも第１色の光および第２色の光の一部、並びに、第２円（Ｃ２）上の複数の概略すり鉢状の穴（３−７，３−８，３−９，３−１０，３−１１，３−１２，３−１３，３−１４，３−１５，３−１６，３−１７，３−１８）から照射された少なくとも第１色の光および第２色の光の一部を反射して基板（２）の側に戻すための粒子状反射材をカバーレンズ（６）に含有させ、
基板（２）の側に戻された少なくとも第１色の光および第２色の光を反射するために、反射部材（３）の複数の概略すり鉢状の穴（３−１，３−２，３−３，３−４，３−５，３−６，３−７，３−８，３−９，３−１０，３−１１，３−１２，３−１３，３−１４，３−１５，３−１６，３−１７，３−１８）の間の部分（３ａ）を曲面によって構成したことを特徴とする電球互換型ＬＥＤランプ（１００）が提供される。
【００１５】
請求項４に記載の発明によれば、第２の半径より大きい第３の半径を有する第３円（Ｃ３）上に複数のＬＥＤ光源（１−１９，１−２０，１−２１，１−２２，１−２３，１−２４，１−２５，１−２６，１−２７，１−２８，１−２９，１−３０）が等間隔で位置するように、複数のＬＥＤ光源（１−１９，１−２０，１−２１，１−２２，１−２３，１−２４，１−２５，１−２６，１−２７，１−２８，１−２９，１−３０）を基板（２）に実装し、
各ＬＥＤ光源（１−１９，１−２０，１−２１，１−２２，１−２３，１−２４，１−２５，１−２６，１−２７，１−２８，１−２９，１−３０）に対応する位置に概略すり鉢状の穴（３−１９，３−２０，３−２１，３−２２，３−２３，３−２４，３−２５，３−２６，３−２７，３−２８，３−２９，３−３０）を配置し、
第３円（Ｃ３）上に等間隔で配列された複数の概略すり鉢状の穴（３−１９，３−２０，３−２１，３−２２，３−２３，３−２４，３−２５，３−２６，３−２７，３−２８，３−２９，３−３０）に、第１色の光を発する第１蛍光体が含有せしめられた第１透光性樹脂（４ａ）と、第２色の光を発する第２蛍光体が含有せしめられた第２透光性樹脂（４ｂ）とを周方向に交互に注入し、
ランプケース（５）に形成された給電部（５ｂ）を介してＬＥＤ光源（１−１９，１−２０，１−２１，１−２２，１−２３，１−２４，１−２５，１−２６，１−２７，１−２８，１−２９，１−３０）に電流を供給し、
第１円（Ｃ１）上の複数の概略すり鉢状の穴（３−１，３−２，３−３，３−４，３−５，３−６）から照射された少なくとも第１色の光および第２色の光の一部、第２円（Ｃ２）上の複数の概略すり鉢状の穴（３−７，３−８，３−９，３−１０，３−１１，３−１２，３−１３，３−１４，３−１５，３−１６，３−１７，３−１８）から照射された少なくとも第１色の光および第２色の光の一部、並びに、第３円（Ｃ３）上の複数の概略すり鉢状の穴（３−１９，３−２０，３−２１，３−２２，３−２３，３−２４，３−２５，３−２６，３−２７，３−２８，３−２９，３−３０）から照射された少なくとも第１色の光および第２色の光の一部を、カバーレンズ（６）に含有せしめられた粒子状反射材によって反射して基板（２）の側に戻し、
基板（２）の側に戻された少なくとも第１色の光および第２色の光を反射するために、反射部材（３）の複数の概略すり鉢状の穴（３−１，３−２，３−３，３−４，３−５，３−６，３−７，３−８，３−９，３−１０，３−１１，３−１２，３−１３，３−１４，３−１５，３−１６，３−１７，３−１８，３−１９，３−２０，３−２１，３−２２，３−２３，３−２４，３−２５，３−２６，３−２７，３−２８，３−２９，３−３０）の間の部分（３ａ）を曲面によって構成したことを特徴とする請求項３に記載の電球互換型ＬＥＤランプ（１００）が提供される。
【００１６】
請求項５に記載の発明によれば、円筒状根元部分（６ａ）と半球状先端部分（６ｂ）とを有するカバーレンズ（６）を用い、
複数の概略すり鉢状の穴（３−１，３−２，３−３，３−４，３−５，３−６，３−７，３−８，３−９，３−１０，３−１１，３−１２，３−１３，３−１４，３−１５，３−１６，３−１７，３−１８，３−１９，３−２０，３−２１，３−２２，３−２３，３−２４，３−２５，３−２６，３−２７，３−２８，３−２９，３−３０）から照射された少なくとも第１色の光および第２色の光の一部を、カバーレンズ（６）の円筒状根元部分（６ａ）の内側表面（６ａ２）によって全反射することを特徴とする請求項４に記載の電球互換型ＬＥＤランプ（１００）が提供される。
【発明の効果】
【００１７】
請求項１に記載のＬＥＤランプ（１００）では、少なくとも第１色の光を照射する第１ＬＥＤ光源（１１ａ）と第２色の光を照射する第２ＬＥＤ光源（１１ｂ）とが基板（１２）に実装されている。また、第１ＬＥＤ光源（１１ａ）および第２ＬＥＤ光源（１１ｂ）を収容するための概略すり鉢状の穴（１３−１）を有する反射部材（１３）が基板（１２）上に配置されている。更に、概略すり鉢状の穴（１３−１）に透光性樹脂（１４）が注入されている。また、第１ＬＥＤ光源（１１ａ）と第２ＬＥＤ光源（１１ｂ）と反射部材（１３）と透光性樹脂（１４）とを覆うカバーレンズ（１６）が配置されている。
【００１８】
詳細には、請求項１に記載のＬＥＤランプ（１００）では、透光性樹脂（１４）を透過せしめられた第１ＬＥＤ光源（１１ａ）からの第１色の光および透光性樹脂（１４）を透過せしめられた第２ＬＥＤ光源（１１ｂ）からの第２色の光の一部を反射するための反射手段がカバーレンズ（１６）に設けられている。
【００１９】
そのため、請求項１に記載のＬＥＤランプ（１００）によれば、反射手段がカバーレンズ（１６）に設けられておらず、透光性樹脂（１４）を透過せしめられた第１ＬＥＤ光源（１１ａ）からの第１色の光および透光性樹脂（１４）を透過せしめられた第２ＬＥＤ光源（１１ｂ）からの第２色の光の大部分がカバーレンズ（１６）によって反射されることなくカバーレンズ（１６）を透過せしめられる場合よりも、透光性樹脂（１４）を透過せしめられた第１ＬＥＤ光源（１１ａ）からの第１色の光および透光性樹脂（１４）を透過せしめられた第２ＬＥＤ光源（１１ｂ）からの第２色の光が混色する機会を増加させることができ、第１色の光および第２色の光の混色均一性を向上させることができる。
【００２０】
更に、請求項１に記載のＬＥＤランプ（１００）では、基板（１２）の側に戻された第１色の光および第２色の光を反射するために、反射部材（１３）の概略すり鉢状の穴（１３−１）の周囲部分（１３ａ）が、平面によって構成されるのではなく、曲面によって構成されている。
【００２１】
つまり、請求項１に記載のＬＥＤランプ（１００）では、基板（１２）の側に戻された第１色の光および第２色の光が、曲面によって構成された反射部材（１３）の概略すり鉢状の穴（１３−１）の周囲部分（１３ａ）によって乱反射される。
【００２２】
そのため、請求項１に記載のＬＥＤランプ（１００）によれば、基板（１２）の側に戻された第１色の光および第２色の光が反射部材（１３）の概略すり鉢状の穴（１３−１）の平面状の周囲部分によって均一に反射される場合よりも、反射部材（１３）からの第１色の反射光および第２色の反射光が混色する機会を増加させることができ、第１色の光および第２色の光の混色均一性を向上させることができる。
【００２３】
請求項２に記載のＬＥＤランプ（１００）では、少なくとも第１ＬＥＤ光源（２１ａ）と第２ＬＥＤ光源（２１ｂ）とが基板（２２）に実装されている。また、第１ＬＥＤ光源（２１ａ）に対応する位置に概略すり鉢状の第１穴（２３−１）を有し、第２ＬＥＤ光源（２１ｂ）に対応する位置に概略すり鉢状の第２穴（２３−２）を有する反射部材（２３）が基板（２２）上に配置されている。
【００２４】
更に、請求項２に記載のＬＥＤランプ（１００）では、第１ＬＥＤ光源（２１ａ）からの光によって励起されて第１色の光を発する第１蛍光体が含有せしめられた第１透光性樹脂（２４ａ）が概略すり鉢状の第１穴（２３−１）に注入されている。また、第２ＬＥＤ光源（２１ｂ）からの光によって励起されて第２色の光を発する第２蛍光体が含有せしめられた第２透光性樹脂（２４ｂ）が概略すり鉢状の第２穴（２３−２）に注入されている。更に、第１ＬＥＤ光源（２１ａ）と第２ＬＥＤ光源（２１ｂ）と反射部材（２３）と第１透光性樹脂（２４ａ）と第２透光性樹脂（２４ｂ）とを覆うカバーレンズ（２６）が配置されている。
【００２５】
詳細には、請求項２に記載のＬＥＤランプ（１００）では、第１透光性樹脂（２４ａ）からの少なくとも第１色の光および第２透光性樹脂（２４ｂ）からの少なくとも第２色の光の一部を反射するための反射手段がカバーレンズ（２６）に設けられている。
【００２６】
そのため、請求項２に記載のＬＥＤランプ（１００）によれば、反射手段がカバーレンズ（２６）に設けられておらず、第１透光性樹脂（２４ａ）からの第１色の光および第２透光性樹脂（２４ｂ）からの第２色の光の大部分がカバーレンズ（２６）によって反射されることなくカバーレンズ（２６）を透過せしめられる場合よりも、第１透光性樹脂（２４ａ）からの第１色の光および第２透光性樹脂（２４ｂ）からの第２色の光が混色する機会を増加させることができ、第１色の光および第２色の光の混色均一性を向上させることができる。
【００２７】
更に、請求項２に記載のＬＥＤランプ（１００）では、基板（２２）の側に戻された少なくとも第１色の光および第２色の光を反射するために、反射部材（２３）の概略すり鉢状の第１穴（２３−１）および概略すり鉢状の第２穴（２３−２）の間および周囲の部分（２３ａ）が、平面によって構成されるのではなく、曲面によって構成されている。
【００２８】
つまり、請求項２に記載のＬＥＤランプ（１００）では、基板（２２）の側に戻された第１色の光および第２色の光が、曲面によって構成された反射部材（２３）の概略すり鉢状の第１穴（２３−１）および概略すり鉢状の第２穴（２３−２）の間および周囲の部分（２３ａ）によって乱反射される。
【００２９】
そのため、請求項２に記載のＬＥＤランプ（１００）によれば、基板（２２）の側に戻された第１色の光および第２色の光が反射部材（２３）の概略すり鉢状の第１穴（２３−１）および概略すり鉢状の第２穴（２３−２）の間および周囲の平面状の部分によって均一に反射される場合よりも、反射部材（２３）からの第１色の反射光および第２色の反射光が混色する機会を増加させることができ、第１色の光および第２色の光の混色均一性を向上させることができる。
【００３０】
請求項３に記載の電球互換型ＬＥＤランプ（１００）では、基板（２）に実装されたＬＥＤ光源（１−１，１−２，１−３，１−４，１−５，１−６，１−７，１−８，１−９，１−１０，１−１１，１−１２，１−１３，１−１４，１−１５，１−１６，１−１７，１−１８）が、ランプケース（５）とカバーレンズ（６）とによって画定される空間内に収容されている。また、ランプケース（５）に形成された給電部（５ｂ）を介してＬＥＤ光源（１−１，１−２，１−３，１−４，１−５，１−６，１−７，１−８，１−９，１−１０，１−１１，１−１２，１−１３，１−１４，１−１５，１−１６，１−１７，１−１８）に電流が供給される。
【００３１】
詳細には、請求項３に記載の電球互換型ＬＥＤランプ（１００）では、第１の半径を有する第１円（Ｃ１）上に複数のＬＥＤ光源（１−１，１−２，１−３，１−４，１−５，１−６）が等間隔で位置するように、複数のＬＥＤ光源（１−１，１−２，１−３，１−４，１−５，１−６）が基板（２）に実装されている。また、第１の半径より大きい第２の半径を有する第２円（Ｃ２）上に複数のＬＥＤ光源（１−７，１−８，１−９，１−１０，１−１１，１−１２，１−１３，１−１４，１−１５，１−１６，１−１７，１−１８）が等間隔で位置するように、複数のＬＥＤ光源（１−７，１−８，１−９，１−１０，１−１１，１−１２，１−１３，１−１４，１−１５，１−１６，１−１７，１−１８）が基板（２）に実装されている。
【００３２】
つまり、請求項３に記載の電球互換型ＬＥＤランプ（１００）では、複数のＬＥＤ光源（１−１，１−２，１−３，１−４，１−５，１−６）が環状に配列されると共に、複数のＬＥＤ光源（１−７，１−８，１−９，１−１０，１−１１，１−１２，１−１３，１−１４，１−１５，１−１６，１−１７，１−１８）が環状に配列されている。
【００３３】
そのため、請求項３に記載の電球互換型ＬＥＤランプ（１００）によれば、複数のＬＥＤ光源が格子状に配列されている電球互換型ＬＥＤランプよりも、電球互換型ＬＥＤランプ（１００）の照射方向に照射された光によって形成される配光パターンを円形にすることができる。
【００３４】
また、請求項３に記載の電球互換型ＬＥＤランプ（１００）では、各ＬＥＤ光源（１−１，１−２，１−３，１−４，１−５，１−６，１−７，１−８，１−９，１−１０，１−１１，１−１２，１−１３，１−１４，１−１５，１−１６，１−１７，１−１８）に対応する位置に概略すり鉢状の穴（３−１，３−２，３−３，３−４，３−５，３−６，３−７，３−８，３−９，３−１０，３−１１，３−１２，３−１３，３−１４，３−１５，３−１６，３−１７，３−１８）を有する反射部材（３）が基板（２）上に配置されている。
【００３５】
更に、請求項３に記載の電球互換型ＬＥＤランプ（１００）では、第１円（Ｃ１）上に等間隔で配列された複数の概略すり鉢状の穴（３−１，３−２，３−３，３−４，３−５，３−６）に、第１色の光を発する第１蛍光体が含有せしめられた第１透光性樹脂（４ａ）と、第２色の光を発する第２蛍光体が含有せしめられた第２透光性樹脂（４ｂ）とが周方向に交互に注入されている。
【００３６】
そのため、請求項３に記載の電球互換型ＬＥＤランプ（１００）によれば、第１色の光を発する第１蛍光体が含有せしめられた第１透光性樹脂（４ａ）と第２色の光を発する第２蛍光体が含有せしめられた第２透光性樹脂（４ｂ）とが第１円（Ｃ１）上の複数の概略すり鉢状の穴（３−１，３−２，３−３，３−４，３−５，３−６）に周方向に交互に注入されていない場合よりも、複数の概略すり鉢状の穴（３−１，３−２，３−３，３−４，３−５，３−６）から照射された第１色の光および第２色の光の混色均一性を向上させることができる。
【００３７】
また、請求項３に記載の電球互換型ＬＥＤランプ（１００）では、第２円（Ｃ２）上に等間隔で配列された複数の概略すり鉢状の穴（３−７，３−８，３−９，３−１０，３−１１，３−１２，３−１３，３−１４，３−１５，３−１６，３−１７，３−１８）に、第１色の光を発する第１蛍光体が含有せしめられた第１透光性樹脂（４ａ）と、第２色の光を発する第２蛍光体が含有せしめられた第２透光性樹脂（４ｂ）とが周方向に交互に注入されている。
【００３８】
そのため、請求項３に記載の電球互換型ＬＥＤランプ（１００）によれば、第１色の光を発する第１蛍光体が含有せしめられた第１透光性樹脂（４ａ）と第２色の光を発する第２蛍光体が含有せしめられた第２透光性樹脂（４ｂ）とが第２円（Ｃ２）上の複数の概略すり鉢状の穴（３−７，３−８，３−９，３−１０，３−１１，３−１２，３−１３，３−１４，３−１５，３−１６，３−１７，３−１８）に周方向に交互に注入されていない場合よりも、複数の概略すり鉢状の穴（３−７，３−８，３−９，３−１０，３−１１，３−１２，３−１３，３−１４，３−１５，３−１６，３−１７，３−１８）から照射された少なくとも第１色の光および第２色の光の混色均一性を向上させることができる。
【００３９】
更に、請求項３に記載の電球互換型ＬＥＤランプ（１００）では、第１円（Ｃ１）上の複数の概略すり鉢状の穴（３−１，３−２，３−３，３−４，３−５，３−６）から照射された少なくとも第１色の光および第２色の光の一部、並びに、第２円（Ｃ２）上の複数の概略すり鉢状の穴（３−７，３−８，３−９，３−１０，３−１１，３−１２，３−１３，３−１４，３−１５，３−１６，３−１７，３−１８）から照射された少なくとも第１色の光および第２色の光の一部を反射して基板（２）の側に戻すための粒子状反射材が、カバーレンズ（６）に含有せしめられている。
【００４０】
そのため、請求項３に記載の電球互換型ＬＥＤランプ（１００）によれば、粒子状反射材がカバーレンズ（６）に含有せしめられておらず、複数の概略すり鉢状の穴（３−１，３−２，３−３，３−４，３−５，３−６，３−７，３−８，３−９，３−１０，３−１１，３−１２，３−１３，３−１４，３−１５，３−１６，３−１７，３−１８）から照射された第１色の光および第２色の光の大部分がカバーレンズ（６）によって反射されることなくカバーレンズ（６）を透過せしめられる場合よりも、複数の概略すり鉢状の穴（３−１，３−２，３−３，３−４，３−５，３−６，３−７，３−８，３−９，３−１０，３−１１，３−１２，３−１３，３−１４，３−１５，３−１６，３−１７，３−１８）から照射された第１色の光および第２色の光が混色する機会を増加させることができ、第１色の光および第２色の光の混色均一性を向上させることができる。
【００４１】
詳細には、請求項３に記載の電球互換型ＬＥＤランプ（１００）では、基板（２）の側に戻された少なくとも第１色の光および第２色の光を反射するために、反射部材（３）の複数の概略すり鉢状の穴（３−１，３−２，３−３，３−４，３−５，３−６，３−７，３−８，３−９，３−１０，３−１１，３−１２，３−１３，３−１４，３−１５，３−１６，３−１７，３−１８）の間の部分（３ａ）が、平面によって構成されるのではなく、曲面によって構成されている。
【００４２】
つまり、請求項３に記載の電球互換型ＬＥＤランプ（１００）では、基板（２）の側に戻された少なくとも第１色の光および第２色の光が、曲面によって構成された反射部材（３）の複数の概略すり鉢状の穴（３−１，３−２，３−３，３−４，３−５，３−６，３−７，３−８，３−９，３−１０，３−１１，３−１２，３−１３，３−１４，３−１５，３−１６，３−１７，３−１８）の間の部分（３ａ）によって乱反射される。
【００４３】
そのため、請求項３に記載の電球互換型ＬＥＤランプ（１００）によれば、基板（２）の側に戻された第１色の光および第２色の光が反射部材（３）の複数の概略すり鉢状の穴（３−１，３−２，３−３，３−４，３−５，３−６，３−７，３−８，３−９，３−１０，３−１１，３−１２，３−１３，３−１４，３−１５，３−１６，３−１７，３−１８）の間の平面部分によって均一に反射される場合よりも、反射部材（３）からの第１色の反射光および第２色の反射光が混色する機会を増加させることができ、第１色の光および第２色の光の混色均一性を向上させることができる。
【００４４】
請求項４に記載の電球互換型ＬＥＤランプ（１００）では、第２の半径より大きい第３の半径を有する第３円（Ｃ３）上に複数のＬＥＤ光源（１−１９，１−２０，１−２１，１−２２，１−２３，１−２４，１−２５，１−２６，１−２７，１−２８，１−２９，１−３０）が等間隔で位置するように、複数のＬＥＤ光源（１−１９，１−２０，１−２１，１−２２，１−２３，１−２４，１−２５，１−２６，１−２７，１−２８，１−２９，１−３０）が基板（２）に実装されている。
【００４５】
つまり、請求項４に記載の電球互換型ＬＥＤランプ（１００）では、複数のＬＥＤ光源（１−１，１−２，１−３，１−４，１−５，１−６）が環状に配列されると共に、複数のＬＥＤ光源（１−７，１−８，１−９，１−１０，１−１１，１−１２，１−１３，１−１４，１−１５，１−１６，１−１７，１−１８）が環状に配列され、更に、複数のＬＥＤ光源（１−１９，１−２０，１−２１，１−２２，１−２３，１−２４，１−２５，１−２６，１−２７，１−２８，１−２９，１−３０）が環状に配列されている。
【００４６】
そのため、請求項４に記載の電球互換型ＬＥＤランプ（１００）によれば、複数のＬＥＤ光源（１−１９，１−２０，１−２１，１−２２，１−２３，１−２４，１−２５，１−２６，１−２７，１−２８，１−２９，１−３０）が設けられていない場合よりも、円形の配光パターンの照度を向上させることができる。
【００４７】
また、請求項４に記載の電球互換型ＬＥＤランプ（１００）では、各ＬＥＤ光源（１−１９，１−２０，１−２１，１−２２，１−２３，１−２４，１−２５，１−２６，１−２７，１−２８，１−２９，１−３０）に対応する位置に概略すり鉢状の穴（３−１９，３−２０，３−２１，３−２２，３−２３，３−２４，３−２５，３−２６，３−２７，３−２８，３−２９，３−３０）が配置されている。
【００４８】
更に、請求項４に記載の電球互換型ＬＥＤランプ（１００）では、第３円（Ｃ３）上に等間隔で配列された複数の概略すり鉢状の穴（３−１９，３−２０，３−２１，３−２２，３−２３，３−２４，３−２５，３−２６，３−２７，３−２８，３−２９，３−３０）に、第１色の光を発する第１蛍光体が含有せしめられた第１透光性樹脂（４ａ）と、第２色の光を発する第２蛍光体が含有せしめられた第２透光性樹脂（４ｂ）とが周方向に交互に注入されている。
【００４９】
そのため、請求項４に記載の電球互換型ＬＥＤランプ（１００）によれば、第１色の光を発する第１蛍光体が含有せしめられた第１透光性樹脂（４ａ）と第２色の光を発する第２蛍光体が含有せしめられた第２透光性樹脂（４ｂ）とが第３円（Ｃ３）上の複数の概略すり鉢状の穴（３−１９，３−２０，３−２１，３−２２，３−２３，３−２４，３−２５，３−２６，３−２７，３−２８，３−２９，３−３０）に周方向に交互に注入されていない場合よりも、複数の概略すり鉢状の穴（３−１９，３−２０，３−２１，３−２２，３−２３，３−２４，３−２５，３−２６，３−２７，３−２８，３−２９，３−３０）から照射された第１色の光および第２色の光の混色均一性を向上させることができる。
【００５０】
また、請求項４に記載の電球互換型ＬＥＤランプ（１００）では、ランプケース（５）に形成された給電部（５ｂ）を介してＬＥＤ光源（１−１９，１−２０，１−２１，１−２２，１−２３，１−２４，１−２５，１−２６，１−２７，１−２８，１−２９，１−３０）に電流が供給されている。
【００５１】
更に、請求項４に記載の電球互換型ＬＥＤランプ（１００）では、第１円（Ｃ１）上の複数の概略すり鉢状の穴（３−１，３−２，３−３，３−４，３−５，３−６）から照射された少なくとも第１色の光および第２色の光の一部、第２円（Ｃ２）上の複数の概略すり鉢状の穴（３−７，３−８，３−９，３−１０，３−１１，３−１２，３−１３，３−１４，３−１５，３−１６，３−１７，３−１８）から照射された少なくとも第１色の光および第２色の光の一部、並びに、第３円（Ｃ３）上の複数の概略すり鉢状の穴（３−１９，３−２０，３−２１，３−２２，３−２３，３−２４，３−２５，３−２６，３−２７，３−２８，３−２９，３−３０）から照射された少なくとも第１色の光および第２色の光の一部が、カバーレンズ（６）に含有せしめられた粒子状反射材によって反射されて基板（２）の側に戻される。
【００５２】
そのため、請求項４に記載の電球互換型ＬＥＤランプ（１００）によれば、粒子状反射材がカバーレンズ（６）に含有せしめられておらず、複数の概略すり鉢状の穴（３−１９，３−２０，３−２１，３−２２，３−２３，３−２４，３−２５，３−２６，３−２７，３−２８，３−２９，３−３０）から照射された第１色の光および第２色の光の大部分がカバーレンズ（６）によって反射されることなくカバーレンズ（６）を透過せしめられる場合よりも、複数の概略すり鉢状の穴（３−１９，３−２０，３−２１，３−２２，３−２３，３−２４，３−２５，３−２６，３−２７，３−２８，３−２９，３−３０）から照射された第１色の光および第２色の光が混色する機会を増加させることができ、第１色の光および第２色の光の混色均一性を向上させることができる。
【００５３】
また、請求項４に記載の電球互換型ＬＥＤランプ（１００）では、基板（２）の側に戻された少なくとも第１色の光および第２色の光を反射するために、反射部材（３）の複数の概略すり鉢状の穴（３−１，３−２，３−３，３−４，３−５，３−６，３−７，３−８，３−９，３−１０，３−１１，３−１２，３−１３，３−１４，３−１５，３−１６，３−１７，３−１８，３−１９，３−２０，３−２１，３−２２，３−２３，３−２４，３−２５，３−２６，３−２７，３−２８，３−２９，３−３０）の間の部分（３ａ）が曲面によって構成されている。
【００５４】
つまり、請求項４に記載の電球互換型ＬＥＤランプ（１００）では、基板（２）の側に戻された少なくとも第１色の光および第２色の光が、曲面によって構成された反射部材（３）の複数の概略すり鉢状の穴（３−１，３−２，３−３，３−４，３−５，３−６，３−７，３−８，３−９，３−１０，３−１１，３−１２，３−１３，３−１４，３−１５，３−１６，３−１７，３−１８）の間の部分（３ａ）によって乱反射されるのみならず、曲面によって構成された反射部材（３）の複数の概略すり鉢状の穴（３−１９，３−２０，３−２１，３−２２，３−２３，３−２４，３−２５，３−２６，３−２７，３−２８，３−２９，３−３０）の間の部分（３ａ）によっても乱反射される。
【００５５】
そのため、請求項４に記載の電球互換型ＬＥＤランプ（１００）によれば、基板（２）の側に戻された第１色の光および第２色の光が反射部材（３）の複数の概略すり鉢状の穴（３−１９，３−２０，３−２１，３−２２，３−２３，３−２４，３−２５，３−２６，３−２７，３−２８，３−２９，３−３０）の間の部分（３ａ）によって乱反射されない場合よりも、反射部材（３）からの第１色の反射光および第２色の反射光が混色する機会を増加させることができ、第１色の光および第２色の光の混色均一性を向上させることができる。
【００５６】
請求項５に記載の電球互換型ＬＥＤランプ（１００）では、円筒状根元部分（６ａ）と半球状先端部分（６ｂ）とを有するカバーレンズ（６）が用いられている。詳細には、複数の概略すり鉢状の穴（３−１，３−２，３−３，３−４，３−５，３−６，３−７，３−８，３−９，３−１０，３−１１，３−１２，３−１３，３−１４，３−１５，３−１６，３−１７，３−１８，３−１９，３−２０，３−２１，３−２２，３−２３，３−２４，３−２５，３−２６，３−２７，３−２８，３−２９，３−３０）から照射された少なくとも第１色の光および第２色の光の一部が、カバーレンズ（６）の円筒状根元部分（６ａ）の内側表面（６ａ２）によって全反射される。
【００５７】
そのため、請求項５に記載の電球互換型ＬＥＤランプ（１００）によれば、半球状のカバーレンズが用いられ、複数の概略すり鉢状の穴（３−１，３−２，３−３，３−４，３−５，３−６，３−７，３−８，３−９，３−１０，３−１１，３−１２，３−１３，３−１４，３−１５，３−１６，３−１７，３−１８，３−１９，３−２０，３−２１，３−２２，３−２３，３−２４，３−２５，３−２６，３−２７，３−２８，３−２９，３−３０）から照射された第１色の光および第２色の光が半球状のカバーレンズの内側表面によって全反射されない場合よりも、複数の概略すり鉢状の穴（３−１，３−２，３−３，３−４，３−５，３−６，３−７，３−８，３−９，３−１０，３−１１，３−１２，３−１３，３−１４，３−１５，３−１６，３−１７，３−１８，３−１９，３−２０，３−２１，３−２２，３−２３，３−２４，３−２５，３−２６，３−２７，３−２８，３−２９，３−３０）から照射された第１色の光および第２色の光が混色する機会を増加させることができ、第１色の光および第２色の光の混色均一性を向上させることができる。
【図面の簡単な説明】
【００５８】
【図１】第１の実施形態のＬＥＤランプ１００を示した図である。
【図２】第３の実施形態のＬＥＤランプ１００を示した図である。
【図３】第７の実施形態の電球互換型ＬＥＤランプ１００の全体構成図である。
【図４】第７の実施形態の電球互換型ＬＥＤランプ１００の一部を構成する基板２、反射部材３などの組立体を示した図である。
【図５】図４に示す基板２、反射部材３などの組立体の製造工程の一例を説明するための図である。
【図６】図４に示す基板２、反射部材３などの組立体の製造工程の一例を説明するための図である。
【図７】図４に示す基板２、反射部材３などの組立体の製造工程の一例を説明するための図である。
【図８】第７の実施形態の電球互換型ＬＥＤランプ１００の一部を構成するカバーレンズ６を示した図である。
【図９】第７の実施形態の電球互換型ＬＥＤランプ１００の特徴を説明するための図である。
【図１０】第７の実施形態の電球互換型ＬＥＤランプ１００の特徴を説明するための図である。
【図１１】第７の実施形態の電球互換型ＬＥＤランプ１００の特徴を説明するための図である。
【図１２】第７の実施形態の電球互換型ＬＥＤランプ１００の特徴を説明するための図である。
【図１３】第１１の実施形態の電球互換型ＬＥＤランプ１００における図７と同様の断面図である。
【発明を実施するための形態】
【００５９】
図１は第１の実施形態のＬＥＤランプ１００を示した図である。詳細には、図１（Ａ）は第１の実施形態のＬＥＤランプ１００の概略的な断面図、図１（Ｂ）、図１（Ｃ）および図１（Ｄ）は第１の実施形態のＬＥＤランプ１００の特徴を説明するための図である。
【００６０】
第１の実施形態の電球互換型ＬＥＤランプ１００では、図１（Ａ）に示すように、例えば赤色の第１色の光を照射する例えばＬＥＤチップなどのようなＬＥＤ光源１１ａと、例えば緑色の第２色の光を照射する例えばＬＥＤチップなどのようなＬＥＤ光源１１ｂと、例えば青色の第３色の光を照射する例えばＬＥＤチップなどのようなＬＥＤ光源１１ｃとが、例えばセラミック製の基板１２の表側（図１（Ａ）の上側）表面に対し、例えばワイヤボンディング実装、フリップチップ実装などによって実装されている。
【００６１】
また、第１の実施形態のＬＥＤランプ１００では、図１（Ａ）に示すように、ＬＥＤ光源１１ａ，１１ｂ，１１ｃを収容するための概略すり鉢状の穴１３−１を有する反射部材１３が基板１２上に配置されている。
【００６２】
具体的には、第１の実施形態のＬＥＤランプ１００では、図１（Ａ）に示すように、反射部材１３の表側（図１（Ａ）の上側）表面のうち、概略すり鉢状の穴１３−１の周囲部分１３ａが曲面によって構成されるように、反射部材１３が形成されている。
【００６３】
詳細には、第１の実施形態のＬＥＤランプ１００の製造時に、例えば特許文献２の段落０００４に記載された公知の手法によって、概略すり鉢状の穴１３−１（図１（Ａ）参照）を有する反射部材１３（図１（Ａ）参照）が形成される。また、第１の実施形態のＬＥＤランプ１００の製造時には、例えば特許文献２の段落０００５に記載された公知の手法によって、反射部材１３の概略すり鉢状の穴１３−１の内周面１３−１ａ（図１（Ａ）参照）に対し、必要に応じて加工が施される。
【００６４】
つまり、第１の実施形態のＬＥＤランプ１００では、図１（Ａ）に示すように、ＬＥＤ光源１１ａ，１１ｂ，１１ｃの周りに位置する概略すり鉢状の穴１３−１の内周面１３−１ａが反射面として機能する。
【００６５】
更に、第１の実施形態のＬＥＤランプ１００では、図１（Ａ）に示すように、透光性樹脂１４が、反射部材１３の概略すり鉢状の穴１３−１に注入されている。また、基板１２が、例えばアルミニウム基板などのようなベース部材（ヒートシンク）１５に対し、例えば熱伝導性シートなどによって熱的に接続されている。更に、例えば配線パターン（図示せず）が形成されたガラスエポキシ基板などのような給電部１９が、基板１２に対し、例えばコネクタ１８を介して電気的に接続されており、ＬＥＤ光源１１ａ，１１ｂ，１１ｃに対して電流が供給される。
【００６６】
また、第１の実施形態のＬＥＤランプ１００では、図１（Ａ）に示すように、ＬＥＤ光源１１ａ，１１ｂ，１１ｃ、反射部材１３および透光性樹脂１４を覆うように、外側表面１６−１と内側表面１６−２とを有するカバーレンズ１６が配置されている。
【００６７】
第１の実施形態のＬＥＤランプ１００では、図１（Ｂ）に示すように、ＬＥＤ光源１１ａの点灯時に、ＬＥＤ光源１１ａからの第１色の光Ｌ１１ａが、概略すり鉢状の穴１３−１（図１（Ａ）参照）内の透光性樹脂１４（図１（Ａ）参照）を透過せしめられ、概略すり鉢状の穴１３−１（図１（Ａ）参照）から照射される。同様に、ＬＥＤ光源１１ｂの点灯時に、ＬＥＤ光源１１ｂからの第２色の光Ｌ１１ｂが、概略すり鉢状の穴１３−１（図１（Ａ）参照）内の透光性樹脂１４（図１（Ａ）参照）を透過せしめられ、概略すり鉢状の穴１３−１（図１（Ａ）参照）から照射される。また、ＬＥＤ光源１１ｃの点灯時に、ＬＥＤ光源１１ｃからの第３色の光Ｌ１１ｃが、概略すり鉢状の穴１３−１（図１（Ａ）参照）内の透光性樹脂１４（図１（Ａ）参照）を透過せしめられ、概略すり鉢状の穴１３−１（図１（Ａ）参照）から照射される。
【００６８】
更に、第１の実施形態のＬＥＤランプ１００では、透光性樹脂１４（図１（Ａ）参照）を透過せしめられたＬＥＤ光源１１ａ（図１（Ｂ）参照）からの第１色の光Ｌ１１ａ（図１（Ｂ）参照）、ＬＥＤ光源１１ｂ（図１（Ｂ）参照）からの第２色の光Ｌ１１ｂ（図１（Ｂ）参照）およびＬＥＤ光源１１ｃ（図１（Ｂ）参照）からの第３色の光Ｌ１１ｃ（図１（Ｂ）参照）の一部を反射するための反射手段として、粒子状反射材（図示せず）がカバーレンズ１６（図１（Ａ）参照）に含有せしめられている。
【００６９】
そのため、第１の実施形態のＬＥＤランプ１００では、図１（Ｃ）に示すように、概略すり鉢状の穴１３−１（図１（Ａ）参照）からの第１色の光Ｌ１１ａ（図１（Ｂ）参照）の一部が、カバーレンズ１６を透過せしめられ、透過光Ｌ１１ａ１となってＬＥＤランプ１００の照射方向（図１（Ｃ）の上側）に照射される。また、概略すり鉢状の穴１３−１（図１（Ａ）参照）からの第１色の光Ｌ１１ａ（図１（Ｂ）参照）の他の一部が、カバーレンズ１６内の粒子状反射材（図示せず）によって反射され、反射光Ｌ１１ａ２となって基板１２の側（図１（Ｃ）の下側）に戻される。
【００７０】
また、第１の実施形態のＬＥＤランプ１００では、図１（Ｃ）に示すように、概略すり鉢状の穴１３−１（図１（Ａ）参照）からの第２色の光Ｌ１１ｂ（図１（Ｂ）参照）の一部が、カバーレンズ１６を透過せしめられ、透過光Ｌ１１ｂ１となってＬＥＤランプ１００の照射方向（図１（Ｃ）の上側）に照射される。また、概略すり鉢状の穴１３−１（図１（Ａ）参照）からの第２色の光Ｌ１１ｂ（図１（Ｂ）参照）の他の一部が、カバーレンズ１６内の粒子状反射材（図示せず）によって反射され、反射光Ｌ１１ｂ２となって基板１２の側（図１（Ｃ）の下側）に戻される。
【００７１】
更に、第１の実施形態のＬＥＤランプ１００では、図１（Ｃ）に示すように、概略すり鉢状の穴１３−１（図１（Ａ）参照）からの第３色の光Ｌ１１ｃ（図１（Ｂ）参照）の一部が、カバーレンズ１６を透過せしめられ、透過光Ｌ１１ｃ１となってＬＥＤランプ１００の照射方向（図１（Ｃ）の上側）に照射される。また、概略すり鉢状の穴１３−１（図１（Ａ）参照）からの第３色の光Ｌ１１ｃ（図１（Ｂ）参照）の他の一部が、カバーレンズ１６内の粒子状反射材（図示せず）によって反射され、反射光Ｌ１１ｃ２となって基板１２の側（図１（Ｃ）の下側）に戻される。
【００７２】
第１の実施形態のＬＥＤランプ１００では、透光性樹脂１４（図１（Ａ）参照）を透過せしめられたＬＥＤ光源１１ａ（図１（Ｂ）参照）からの第１色の光Ｌ１１ａ（図１（Ｂ）参照）、ＬＥＤ光源１１ｂ（図１（Ｂ）参照）からの第２色の光Ｌ１１ｂ（図１（Ｂ）参照）およびＬＥＤ光源１１ｃ（図１（Ｂ）参照）からの第３色の光Ｌ１１ｃ（図１（Ｂ）参照）の一部を反射するための反射手段として粒子状反射材（図示せず）がカバーレンズ１６（図１（Ａ）参照）に含有せしめられているが、第２の実施形態のＬＥＤランプ１００では、代わりに、カバーレンズ１６（図１（Ａ）参照）内の粒子状反射材（図示せず）を省略し、カバーレンズ（図１（Ａ）参照）の外側表面１６−１（図１（Ａ）参照）および／または内側表面１６−２（図１（Ａ）参照）に形成された例えばレンズカット、シボなどのような反射手段によって、透光性樹脂１４（図１（Ａ）参照）を透過せしめられたＬＥＤ光源１１ａ（図１（Ｂ）参照）からの第１色の光Ｌ１１ａ（図１（Ｂ）参照）、ＬＥＤ光源１１ｂ（図１（Ｂ）参照）からの第２色の光Ｌ１１ｂ（図１（Ｂ）参照）およびＬＥＤ光源１１ｃ（図１（Ｂ）参照）からの第３色の光Ｌ１１ｃ（図１（Ｂ）参照）の一部を反射することも可能である。
【００７３】
更に、第１の実施形態のＬＥＤランプ１００では、図１（Ｄ）に示すように、カバーレンズ１６によって基板２の側（図１（Ｄ）の下側）に戻された第１色の光Ｌ１１ａ２が、反射部材１３の表側（図１（Ｄ）の上側）表面のうち、概略すり鉢状の穴１３−１（図１（Ａ）参照）の内周面１３−１ａ（図１（Ａ）参照）を除く概略すり鉢状の穴１３−１（図１（Ａ）参照）の周囲部分１３ａ（図１（Ａ）参照）によって乱反射され、反射光Ｌ１１ａ３となってカバーレンズ１６の側（図１（Ｄ）の上側）に照射される。
【００７４】
また、第１の実施形態のＬＥＤランプ１００では、図１（Ｄ）に示すように、カバーレンズ１６によって基板２の側（図１（Ｄ）の下側）に戻された第２色の光Ｌ１１ｂ２が、反射部材１３の表側（図１（Ｄ）の上側）表面のうち、概略すり鉢状の穴１３−１（図１（Ａ）参照）の内周面１３−１ａ（図１（Ａ）参照）を除く概略すり鉢状の穴１３−１（図１（Ａ）参照）の周囲部分１３ａ（図１（Ａ）参照）によって乱反射され、反射光Ｌ１１ｂ３となってカバーレンズ１６の側（図１（Ｄ）の上側）に照射される。
【００７５】
更に、第１の実施形態のＬＥＤランプ１００では、図１（Ｄ）に示すように、カバーレンズ１６によって基板２の側（図１（Ｄ）の下側）に戻された第３色の光Ｌ１１ｃ２が、反射部材１３の表側（図１（Ｄ）の上側）表面のうち、概略すり鉢状の穴１３−１（図１（Ａ）参照）の内周面１３−１ａ（図１（Ａ）参照）を除く概略すり鉢状の穴１３−１（図１（Ａ）参照）の周囲部分１３ａ（図１（Ａ）参照）によって乱反射され、反射光Ｌ１１ｃ３となってカバーレンズ１６の側（図１（Ｄ）の上側）に照射される。
【００７６】
換言すれば、第１の実施形態のＬＥＤランプ１００では、透光性樹脂１４（図１（Ａ）参照）を透過せしめられたＬＥＤ光源１１ａ（図１（Ｂ）参照）からの第１色の光Ｌ１１ａ（図１（Ｂ）参照）、透光性樹脂１４（図１（Ａ）参照）を透過せしめられたＬＥＤ光源１１ｂ（図１（Ｂ）参照）からの第２色の光Ｌ１１ｂ（図１（Ｂ）参照）および透光性樹脂１４（図１（Ａ）参照）を透過せしめられたＬＥＤ光源１１ｃ（図１（Ｂ）参照）からの第３色の光Ｌ１１ｃ（図１（Ｂ）参照）の一部を反射するための反射手段がカバーレンズ１６（図１（Ｃ）参照）に設けられている。
【００７７】
そのため、第１の実施形態のＬＥＤランプ１００によれば、反射手段がカバーレンズ１６（図１（Ｃ）参照）に設けられておらず、透光性樹脂１４（図１（Ａ）参照）を透過せしめられたＬＥＤ光源１１ａ（図１（Ｂ）参照）からの第１色の光Ｌ１１ａ（図１（Ｂ）参照）、透光性樹脂１４（図１（Ａ）参照）を透過せしめられたＬＥＤ光源１１ｂ（図１（Ｂ）参照）からの第２色の光Ｌ１１ｂ（図１（Ｂ）参照）および透光性樹脂１４（図１（Ａ）参照）を透過せしめられたＬＥＤ光源１１ｃ（図１（Ｂ）参照）からの第３色の光Ｌ１１ｃ（図１（Ｂ）参照）の大部分がカバーレンズ１６（図１（Ｃ）参照）によって反射されることなくカバーレンズ１６を透過せしめられる場合よりも、透光性樹脂１４（図１（Ａ）参照）を透過せしめられたＬＥＤ光源１１ａ（図１（Ｂ）参照）からの第１色の光Ｌ１１ａ（図１（Ｂ）参照）、透光性樹脂１４（図１（Ａ）参照）を透過せしめられたＬＥＤ光源１１ｂ（図１（Ｂ）参照）からの第２色の光Ｌ１１ｂ（図１（Ｂ）参照）および透光性樹脂１４（図１（Ａ）参照）を透過せしめられたＬＥＤ光源１１ｃ（図１（Ｂ）参照）からの第３色の光Ｌ１１ｃ（図１（Ｂ）参照）が混色する機会を増加させることができ、第１色の光、第２色の光および第３色の光の混色均一性を向上させることができる。
【００７８】
更に、第１の実施形態のＬＥＤランプ１００では、基板１２（図１（Ｄ）参照）の側（図１（Ｄ）の下側）に戻された第１色の光Ｌ１１ａ２（図１（Ｄ）参照）、第２色の光Ｌ１１ｂ２（図１（Ｄ）参照）および第３色の光Ｌ１１ｃ２（図１（Ｄ）参照）を反射するために、反射部材１３（図１（Ａ）参照）の概略すり鉢状の穴１３−１（図１（Ａ）参照）の周囲部分１３ａ（図１（Ａ）参照）が、平面によって構成されるのではなく、曲面によって構成されている。
【００７９】
つまり、第１の実施形態のＬＥＤランプ１００では、基板１２（図１（Ｄ）参照）の側（図１（Ｄ）の下側）に戻された第１色の光Ｌ１１ａ２（図１（Ｄ）参照）、第２色の光Ｌ１１ｂ２（図１（Ｄ）参照）および第３色の光Ｌ１１ｃ２（図１（Ｄ）参照）が、曲面によって構成された反射部材１３（図１（Ａ）参照）の概略すり鉢状の穴１３−１（図１（Ａ）参照）の周囲部分１３ａ（図１（Ａ）参照）によって乱反射される。
【００８０】
そのため、第１の実施形態のＬＥＤランプ１００によれば、基板１２（図１（Ｄ）参照）の側（図１（Ｄ）の下側）に戻された第１色の光Ｌ１１ａ２（図１（Ｄ）参照）、第２色の光Ｌ１１ｂ２（図１（Ｄ）参照）および第３色の光Ｌ１１ｃ２（図１（Ｄ）参照）が反射部材１３（図１（Ａ）参照）の概略すり鉢状の穴１３−１（図１（Ａ）参照）の平面状の周囲部分によって均一に反射される場合よりも、反射部材１３（図１（Ａ）参照）からの第１色の反射光Ｌ１１ａ３（図１（Ｄ）参照）、第２色の反射光Ｌ１１ｂ３（図１（Ｄ）参照）および第３色の反射光Ｌ１１ｃ３（図１（Ｄ）参照）が混色する機会を増加させることができ、第１色の光、第２色の光および第３色の光の混色均一性を向上させることができる。
【００８１】
図２は第３の実施形態のＬＥＤランプ１００を示した図である。詳細には、図２（Ａ）は第３の実施形態のＬＥＤランプ１００の概略的な断面図、図２（Ｂ）、図２（Ｃ）および図２（Ｄ）は第３の実施形態のＬＥＤランプ１００の特徴を説明するための図である。
【００８２】
第３の実施形態の電球互換型ＬＥＤランプ１００では、図２（Ａ）に示すように、例えば白色などの光を照射する例えばＬＥＤチップなどのようなＬＥＤ光源２１ａと、例えばＬＥＤ光源２１ａと同一色の光を照射する例えばＬＥＤチップなどのようなＬＥＤ光源２１ｂとが、例えばセラミック製の基板２２の表側（図２（Ａ）の上側）表面に対し、例えばワイヤボンディング実装、フリップチップ実装などによって実装されている。
【００８３】
また、第３の実施形態のＬＥＤランプ１００では、図２（Ａ）に示すように、ＬＥＤ光源２１ａに対応する位置に概略すり鉢状の穴２３−１を有し、ＬＥＤ光源２１ｂに対応する位置に概略すり鉢状の穴２３−２を有する反射部材２３が基板２２上に配置されている。
【００８４】
具体的には、第３の実施形態のＬＥＤランプ１００では、図２（Ａ）に示すように、反射部材２３の表側（図２（Ａ）の上側）表面のうち、概略すり鉢状の穴２３−１および概略すり鉢状の穴２３−２の間および周囲の部分２３ａが曲面によって構成されるように、反射部材２３が形成されている。
【００８５】
詳細には、第３の実施形態のＬＥＤランプ１００の製造時に、例えば特許文献２の段落０００４に記載された公知の手法によって、概略すり鉢状の穴２３−１，２３−２（図２（Ａ）参照）を有する反射部材２３（図２（Ａ）参照）が形成される。また、第３の実施形態のＬＥＤランプ１００の製造時には、例えば特許文献２の段落０００５に記載された公知の手法によって、反射部材２３の概略すり鉢状の穴２３−１の内周面２３−１ａ（図２（Ａ）参照）および概略すり鉢状の穴２３−２の内周面２３−２ａ（図２（Ａ）参照）に対し、必要に応じて加工が施される。
【００８６】
つまり、第３の実施形態のＬＥＤランプ１００では、図２（Ａ）に示すように、ＬＥＤ光源２１ａの周りに位置する概略すり鉢状の穴２３−１の内周面２３−１ａおよびＬＥＤ光源２１ｂの周りに位置する概略すり鉢状の穴２３−２の内周面２３−２ａが反射面として機能する。
【００８７】
更に、第３の実施形態のＬＥＤランプ１００では、図２（Ａ）に示すように、ＬＥＤ光源２１ａからの光によって励起されて第１色の光を発する第１蛍光体（図示せず）が含有せしめられた透光性樹脂２４ａが反射部材２３の概略すり鉢状の穴２３−１に注入されている。また、ＬＥＤ光源２１ｂからの光によって励起されて第２色の光を発する第２蛍光体（図示せず）が含有せしめられた透光性樹脂２４ｂが反射部材２３の概略すり鉢状の穴２３−２に注入されている。
【００８８】
また、第３の実施形態のＬＥＤランプ１００では、図２（Ａ）に示すように、基板２２が、例えばアルミニウム基板などのようなベース部材（ヒートシンク）２５に対し、例えば熱伝導性シートなどによって熱的に接続されている。更に、例えば配線パターン（図示せず）が形成されたガラスエポキシ基板などのような給電部２９が、基板２２に対し、例えばコネクタ２８を介して電気的に接続されており、ＬＥＤ光源２１ａ，２１ｂに対して電流が供給される。
【００８９】
また、第３の実施形態のＬＥＤランプ１００では、図２（Ａ）に示すように、ＬＥＤ光源２１ａ，２１ｂ、反射部材２３および透光性樹脂２４ａ，２４ｂを覆うように、外側表面２６−１と内側表面２６−２とを有するカバーレンズ２６が配置されている。
【００９０】
第３の実施形態のＬＥＤランプ１００では、図２（Ｂ）に示すように、ＬＥＤ光源２１ａの点灯時に、概略すり鉢状の穴２３−１（図２（Ａ）参照）に注入された透光性樹脂２４ａに含有せしめられた第１蛍光体が発した第１色の光Ｌ２４ａが、概略すり鉢状の穴２３−１（図２（Ａ）参照）から照射される。また、ＬＥＤ光源２１ａからの光（図示せず）が、概略すり鉢状の穴２３−１（図２（Ａ）参照）内の透光性樹脂２４ａを透過せしめられ、概略すり鉢状の穴２３−１（図２（Ａ）参照）から照射される。
【００９１】
更に、第３の実施形態のＬＥＤランプ１００では、図２（Ｂ）に示すように、ＬＥＤ光源２１ｂの点灯時に、概略すり鉢状の穴２３−２（図２（Ａ）参照）に注入された透光性樹脂２４ｂに含有せしめられた第２蛍光体が発した第２色の光Ｌ２４ｂが、概略すり鉢状の穴２３−２（図２（Ａ）参照）から照射される。また、ＬＥＤ光源２１ｂからの光（図示せず）が、概略すり鉢状の穴２３−２（図２（Ａ）参照）内の透光性樹脂２４ｂを透過せしめられ、概略すり鉢状の穴２３−２（図２（Ａ）参照）から照射される。
【００９２】
また、第３の実施形態のＬＥＤランプ１００では、透光性樹脂２４ａ（図２（Ａ）参照）からの第１色の光Ｌ２４ａ（図２（Ｂ）参照）、透光性樹脂２４ａ（図２（Ａ）参照）を透過せしめられたＬＥＤ光源２１ａ（図２（Ａ）参照）からの光（図示せず）、透光性樹脂２４ｂ（図２（Ａ）参照）からの第２色の光Ｌ２４ｂ（図２（Ｂ）参照）、および、透光性樹脂２４ｂ（図２（Ａ）参照）を透過せしめられたＬＥＤ光源２１ｂ（図２（Ａ）参照）からの光（図示せず）の一部を反射するための反射手段として、粒子状反射材（図示せず）がカバーレンズ２６（図２（Ａ）参照）に含有せしめられている。
【００９３】
そのため、第３の実施形態のＬＥＤランプ１００では、図２（Ｃ）に示すように、透光性樹脂２４ａからの第１色の光Ｌ２４ａ（図２（Ｂ）参照）の一部が、カバーレンズ２６を透過せしめられ、透過光Ｌ２４ａ１となってＬＥＤランプ１００の照射方向（図２（Ｃ）の上側）に照射される。また、透光性樹脂２４ａからの第１色の光Ｌ２４ａ（図２（Ｂ）参照）の他の一部が、カバーレンズ２６内の粒子状反射材（図示せず）によって反射され、反射光Ｌ２４ａ２となって基板２２の側（図２（Ｃ）の下側）に戻される。
【００９４】
また、第３の実施形態のＬＥＤランプ１００では、透光性樹脂２４ａ（図２（Ａ）参照）を透過せしめられたＬＥＤ光源２１ａ（図２（Ａ）参照）からの光（図示せず）の一部が、カバーレンズ２６（図２（Ａ）参照）を透過せしめられ、透過光（図示せず）となってＬＥＤランプ１００の照射方向（図２（Ｃ）の上側）に照射される。また、透光性樹脂２４ａ（図２（Ａ）参照）を透過せしめられたＬＥＤ光源２１ａ（図２（Ａ）参照）からの光（図示せず）の他の一部が、カバーレンズ２６（図２（Ａ）参照）内の粒子状反射材（図示せず）によって反射され、反射光（図示せず）となって基板２２の側（図２（Ｃ）の下側）に戻される。
【００９５】
更に、第３の実施形態のＬＥＤランプ１００では、図２（Ｃ）に示すように、透光性樹脂２４ｂからの第２色の光Ｌ２４ｂ（図２（Ｂ）参照）の一部が、カバーレンズ２６を透過せしめられ、透過光Ｌ２４ｂ１となってＬＥＤランプ１００の照射方向（図２（Ｃ）の上側）に照射される。また、透光性樹脂２４ｂからの第２色の光Ｌ２４ｂ（図２（Ｂ）参照）の他の一部が、カバーレンズ２６内の粒子状反射材（図示せず）によって反射され、反射光Ｌ２４ｂ２となって基板２２の側（図２（Ｃ）の下側）に戻される。
【００９６】
また、第３の実施形態のＬＥＤランプ１００では、透光性樹脂２４ｂ（図２（Ａ）参照）を透過せしめられたＬＥＤ光源２１ｂ（図２（Ａ）参照）からの光（図示せず）の一部が、カバーレンズ２６（図２（Ａ）参照）を透過せしめられ、透過光（図示せず）となってＬＥＤランプ１００の照射方向（図２（Ｃ）の上側）に照射される。また、透光性樹脂２４ｂ（図２（Ａ）参照）を透過せしめられたＬＥＤ光源２１ｂ（図２（Ａ）参照）からの光（図示せず）の他の一部が、カバーレンズ２６（図２（Ａ）参照）内の粒子状反射材（図示せず）によって反射され、反射光（図示せず）となって基板２２の側（図２（Ｃ）の下側）に戻される。
【００９７】
第３の実施形態のＬＥＤランプ１００では、透光性樹脂２４ａ（図２（Ａ）参照）からの第１色の光Ｌ２４ａ（図２（Ｂ）参照）、透光性樹脂２４ａ（図２（Ａ）参照）を透過せしめられたＬＥＤ光源２１ａ（図２（Ａ）参照）からの光（図示せず）、透光性樹脂２４ｂ（図２（Ａ）参照）からの第２色の光Ｌ２４ｂ（図２（Ｂ）参照）、および、透光性樹脂２４ｂ（図２（Ａ）参照）を透過せしめられたＬＥＤ光源２１ｂ（図２（Ａ）参照）からの光（図示せず）の一部を反射するための反射手段として粒子状反射材（図示せず）がカバーレンズ２６（図２（Ａ）参照）に含有せしめられているが、第４の実施形態のＬＥＤランプ１００では、代わりに、カバーレンズ２６（図２（Ａ）参照）内の粒子状反射材（図示せず）を省略し、カバーレンズ（図２（Ａ）参照）の外側表面２６−１（図２（Ａ）参照）および／または内側表面２６−２（図２（Ａ）参照）に形成された例えばレンズカット、シボなどのような反射手段によって、透光性樹脂２４ａ（図２（Ａ）参照）からの第１色の光Ｌ２４ａ（図２（Ｂ）参照）、透光性樹脂２４ａ（図２（Ａ）参照）を透過せしめられたＬＥＤ光源２１ａ（図２（Ａ）参照）からの光（図示せず）、透光性樹脂２４ｂ（図２（Ａ）参照）からの第２色の光Ｌ２４ｂ（図２（Ｂ）参照）、および、透光性樹脂２４ｂ（図２（Ａ）参照）を透過せしめられたＬＥＤ光源２１ｂ（図２（Ａ）参照）からの光（図示せず）の一部を反射することも可能である。
【００９８】
更に、第３の実施形態のＬＥＤランプ１００では、図２（Ｄ）に示すように、カバーレンズ２６によって基板２２の側（図２（Ｄ）の下側）に戻された第１色の光Ｌ２４ａ２が、反射部材２３の表側（図２（Ｄ）の上側）表面のうち、概略すり鉢状の穴２３−１（図２（Ａ）参照）の内周面２３−１ａ（図２（Ａ）参照）および概略すり鉢状の穴２３−２（図２（Ａ）参照）の内周面２３−２ａ（図２（Ａ）参照）を除く概略すり鉢状の穴２３−１（図２（Ａ）参照）および概略すり鉢状の穴２３−２（図２（Ａ）参照）の間および周囲の部分２３ａ（図２（Ａ）参照）によって乱反射され、反射光Ｌ２４ａ３となってカバーレンズ２６の側（図２（Ｄ）の上側）に照射される。
【００９９】
また、第３の実施形態のＬＥＤランプ１００では、カバーレンズ２６（図２（Ａ）参照）によって基板２２の側（図２（Ｄ）の下側）に戻されたＬＥＤ光源２１ａ（図２（Ａ）参照）からの光（図示せず）が、反射部材２３（図２（Ａ）参照）の表側（図２（Ａ）の上側）表面のうち、概略すり鉢状の穴２３−１（図２（Ａ）参照）の内周面２３−１ａ（図２（Ａ）参照）および概略すり鉢状の穴２３−２（図２（Ａ）参照）の内周面２３−２ａ（図２（Ａ）参照）を除く概略すり鉢状の穴２３−１（図２（Ａ）参照）および概略すり鉢状の穴２３−２（図２（Ａ）参照）の間および周囲の部分２３ａ（図２（Ａ）参照）によって乱反射され、反射光（図示せず）となってカバーレンズ２６の側（図２（Ｄ）の上側）に照射される。
【０１００】
更に、第３の実施形態のＬＥＤランプ１００では、図２（Ｄ）に示すように、カバーレンズ２６によって基板２２の側（図２（Ｄ）の下側）に戻された第２色の光Ｌ２４ｂ２が、反射部材２３の表側（図２（Ｄ）の上側）表面のうち、概略すり鉢状の穴２３−１（図２（Ａ）参照）の内周面２３−１ａ（図２（Ａ）参照）および概略すり鉢状の穴２３−２（図２（Ａ）参照）の内周面２３−２ａ（図２（Ａ）参照）を除く概略すり鉢状の穴２３−１（図２（Ａ）参照）および概略すり鉢状の穴２３−２（図２（Ａ）参照）の間および周囲の部分２３ａ（図２（Ａ）参照）によって乱反射され、反射光Ｌ２４ｂ３となってカバーレンズ２６の側（図２（Ｄ）の上側）に照射される。
【０１０１】
また、第３の実施形態のＬＥＤランプ１００では、カバーレンズ２６（図２（Ａ）参照）によって基板２２の側（図２（Ｄ）の下側）に戻されたＬＥＤ光源２１ｂ（図２（Ａ）参照）からの光（図示せず）が、反射部材２３（図２（Ａ）参照）の表側（図２（Ａ）の上側）表面のうち、概略すり鉢状の穴２３−１（図２（Ａ）参照）の内周面２３−１ａ（図２（Ａ）参照）および概略すり鉢状の穴２３−２（図２（Ａ）参照）の内周面２３−２ａ（図２（Ａ）参照）を除く概略すり鉢状の穴２３−１（図２（Ａ）参照）および概略すり鉢状の穴２３−２（図２（Ａ）参照）の間および周囲の部分２３ａ（図２（Ａ）参照）によって乱反射され、反射光（図示せず）となってカバーレンズ２６の側（図２（Ｄ）の上側）に照射される。
【０１０２】
換言すれば、第３の実施形態のＬＥＤランプ１００では、透光性樹脂２４ａ（図２（Ａ）参照）からの第１色の光Ｌ２４ａ（図２（Ｂ）参照）および透光性樹脂２４ｂ（図２（Ａ）参照）からの第２色の光Ｌ２４ｂ（図２（Ｂ）参照）の一部を反射するための反射手段がカバーレンズ２６（図２（Ｃ）参照）に設けられている。
【０１０３】
そのため、第３の実施形態のＬＥＤランプ１００によれば、反射手段がカバーレンズ２６（図２（Ｃ）参照）に設けられておらず、透光性樹脂２４ａ（図２（Ａ）参照）からの第１色の光Ｌ２４ａ（図２（Ｂ）参照）および透光性樹脂２４ｂ（図２（Ａ）参照）からの第２色の光Ｌ２４ｂ（図２（Ｂ）参照）の大部分がカバーレンズ２６（図２（Ｃ）参照）によって反射されることなくカバーレンズ２６を透過せしめられる場合よりも、透光性樹脂２４ａ（図２（Ａ）参照）からの第１色の光Ｌ２４ａ（図２（Ｂ）参照）および透光性樹脂２４ｂ（図２（Ａ）参照）からの第２色の光Ｌ２４ｂ（図２（Ｂ）参照）が混色する機会を増加させることができ、第１色の光および第２色の光の混色均一性を向上させることができる。
【０１０４】
更に、第３の実施形態のＬＥＤランプ１００では、基板２２（図２（Ｄ）参照）の側（図２（Ｄ）の下側）に戻された第１色の光Ｌ２４ａ２（図２（Ｄ）参照）および第２色の光Ｌ２４ｂ２（図２（Ｄ）参照）を反射するために、反射部材２３（図２（Ａ）参照）の概略すり鉢状の穴２３−１（図２（Ａ）参照）および概略すり鉢状の穴２３−２（図２（Ａ）参照）の間および周囲の部分２３ａ（図２（Ａ）参照）が、平面によって構成されるのではなく、曲面によって構成されている。
【０１０５】
つまり、第３の実施形態のＬＥＤランプ１００では、基板２２（図２（Ｄ）参照）の側（図２（Ｄ）の下側）に戻された第１色の光Ｌ２４ａ２（図２（Ｄ）参照）および第２色の光Ｌ２４ｂ２（図２（Ｄ）参照）が、曲面によって構成された反射部材２３（図２（Ａ）参照）の概略すり鉢状の穴２３−１（図２（Ａ）参照）および概略すり鉢状の穴２３−２（図２（Ａ）参照）の間および周囲の部分２３ａ（図２（Ａ）参照）によって乱反射される。
【０１０６】
そのため、第３の実施形態のＬＥＤランプ１００によれば、基板２２（図２（Ｄ）参照）の側（図２（Ｄ）の下側）に戻された第１色の光Ｌ２４ａ２（図２（Ｄ）参照）および第２色の光Ｌ２４ｂ２（図２（Ｄ）参照）が反射部材２３（図２（Ａ）参照）の概略すり鉢状の穴２３−１（図２（Ａ）参照）および穴２３−２（図２（Ａ）参照）の間および周囲の平面状の部分によって均一に反射される場合よりも、反射部材２３（図２（Ａ）参照）からの第１色の反射光Ｌ２４ａ３（図２（Ｄ）参照）および第２色の反射光Ｌ２４ｂ３（図２（Ｄ）参照）が混色する機会を増加させることができ、第１色の光および第２色の光の混色均一性を向上させることができる。
【０１０７】
第３の実施形態のＬＥＤランプ１００では、図２（Ａ）に示すように、反射部材２３に２個の概略すり鉢状の穴２３−１，２３−２が形成されているが、第５の実施形態のＬＥＤランプ１００では、代わりに、反射部材２３に３個以上の複数の概略すり鉢状の穴を形成し、複数の概略すり鉢状の穴を例えば格子状、環状などに配列することも可能である。
【０１０８】
また、第３の実施形態のＬＥＤランプ１００では、図２（Ａ）に示すように、第１色の光を発する第１蛍光体が含有せしめられた透過性樹脂２４ａが、反射部材２３の概略すり鉢状の穴２３−１に注入され、第２色の光を発する第２蛍光体が含有せしめられた透過性樹脂２４ｂが、反射部材２３の概略すり鉢状の穴２３−２に注入されているが、第６の実施形態のＬＥＤランプ１００では、代わりに、反射部材２３に３個以上の複数の概略すり鉢状の穴を形成し、例えば第３色の光を発する第３蛍光体が含有せしめられた透過性樹脂、第４色の光を発する第４蛍光体が含有せしめられた透過性樹脂などを反射部材２３の複数の概略すり鉢状の穴のそれぞれに注入することも可能である。
【０１０９】
図３は第７の実施形態の電球互換型ＬＥＤランプ１００の全体構成図である。詳細には、図３（Ａ）は第７の実施形態の電球互換型ＬＥＤランプ１００の平面図、図３（Ｂ）は第７の実施形態の電球互換型ＬＥＤランプ１００の正面図、図３（Ｃ）は図３（Ａ）のＡ−Ａ線に沿った概略的な断面図である。図４は第７の実施形態の電球互換型ＬＥＤランプ１００の一部を構成する基板２、反射部材３などの組立体を示した図である。詳細には、図４（Ａ）は基板２、反射部材３などの組立体の平面図、図４（Ｂ）は図４（Ａ）のＢ−Ｂ線に沿った概略的な断面図である。図５〜図７は図４に示す基板２、反射部材３などの組立体の製造工程の一例を説明するための図である。図８は第７の実施形態の電球互換型ＬＥＤランプ１００の一部を構成するカバーレンズ６を示した図である。詳細には、図８（Ａ）はカバーレンズ６の平面図、図８（Ｂ）はカバーレンズ６の正面図、図８（Ｃ）は図８（Ａ）のＤ−Ｄ線に沿った概略的な断面図、図８（Ｄ）はカバーレンズ６の底面図である。
【０１１０】
第７の実施形態の電球互換型ＬＥＤランプ１００では、図５（Ａ）に示すように、例えばＬＥＤチップなどのような複数のＬＥＤ光源１−１，１−２，１−３，１−４，１−５，１−６，１−７，１−８，１−９，１−１０，１−１１，１−１２，１−１３，１−１４，１−１５，１−１６，１−１７，１−１８，１−１９，１−２０，１−２１，１−２２，１−２３，１−２４，１−２５，１−２６，１−２７，１−２８，１−２９，１−３０が、基板２の表側（図４（Ｂ）の上側）表面に対し、例えばワイヤボンディング実装、フリップチップ実装などによって実装されている。
【０１１１】
詳細には、第７の実施形態の電球互換型ＬＥＤランプ１００の製造時には、図５（Ａ）に示すように、第１の半径を有する円Ｃ１上に例えば６個のＬＥＤ光源１−１，１−２，１−３，１−４，１−５，１−６が等間隔で位置するように、ＬＥＤ光源１−１，…，１−６が基板２に実装される。また、第１の半径より大きい第２の半径を有する円Ｃ２上に例えば１２個のＬＥＤ光源１−７，１−８，１−９，１−１０，１−１１，１−１２，１−１３，１−１４，１−１５，１−１６，１−１７，１−１８が等間隔で位置するように、ＬＥＤ光源１−７，…，１−１８が基板２に実装される。更に、第２の半径より大きい第３の半径を有する円Ｃ３上に例えば１２個のＬＥＤ光源１−１９，１−２０，１−２１，１−２２，１−２３，１−２４，１−２５，１−２６，１−２７，１−２８，１−２９，１−３０が等間隔で位置するように、ＬＥＤ光源１−１９，…，１−３０が基板２に実装される。
【０１１２】
次いで、第７の実施形態の電球互換型ＬＥＤランプ１００の製造時には、図５（Ｂ）および図６（Ａ）に示すように、基板２の表側（図４（Ｂ）の上側）表面に反射部材３が形成される。図６（Ａ）は図５（Ｂ）中の反射部材３などの拡大図である。
【０１１３】
具体的には、第７の実施形態の電球互換型ＬＥＤランプ１００の製造時には、図５（Ｂ）および図６（Ａ）に示すように、各ＬＥＤ光源１−１，１−２，１−３，１−４，１−５，１−６，１−７，１−８，１−９，１−１０，１−１１，１−１２，１−１３，１−１４，１−１５，１−１６，１−１７，１−１８，１−１９，１−２０，１−２１，１−２２，１−２３，１−２４，１−２５，１−２６，１−２７，１−２８，１−２９，１−３０（図５（Ａ）参照）に対応する位置に概略すり鉢状の穴３−１，３−２，３−３，３−４，３−５，３−６，３−７，３−８，３−９，３−１０，３−１１，３−１２，３−１３，３−１４，３−１５，３−１６，３−１７，３−１８，３−１９，３−２０，３−２１，３−２２，３−２３，３−２４，３−２５，３−２６，３−２７，３−２８，３−２９，３−３０を有する反射部材３が形成される。
【０１１４】
更に、第７の実施形態の電球互換型ＬＥＤランプ１００の製造時には、図７（Ａ）および図７（Ｂ）に示すように、反射部材３の表側（図７（Ａ）および図７（Ｂ）の上側）表面のうち、複数の概略すり鉢状の穴３−１，３−２，…，３−５，…，３−９，…，３−１４，…，３−２１，…，３−２６，…，３−３０（図６（Ａ）、図７（Ａ）および図７（Ｂ）参照）の間の部分３ａが曲面によって構成されるように、反射部材３が形成される。
【０１１５】
詳細には、第７の実施形態の電球互換型ＬＥＤランプ１００の製造時には、例えば特許文献２の段落０００４に記載された公知の手法によって、概略すり鉢状の穴３−１，…，３−３０（図６（Ａ）参照）を有する反射部材３（図５（Ｂ）および図６（Ａ）参照）が形成される。また、第７の実施形態の電球互換型ＬＥＤランプ１００の製造時には、例えば特許文献２の段落０００５に記載された公知の手法によって、反射部材３の概略すり鉢状の穴３−１，…，３−３０の内周面に対して必要に応じた加工が施される。
【０１１６】
次いで、第７の実施形態の電球互換型ＬＥＤランプ１００の製造時には、図６（Ｂ）に示すように、第１色の光を発する第１蛍光体が含有せしめられた透光性樹脂４ａが、反射部材３の概略すり鉢状の穴３−１，３−３，３−５（図６（Ａ）参照）に注入され、第２色の光を発する第２蛍光体が含有せしめられた透光性樹脂４ｂが、反射部材３の概略すり鉢状の穴３−２，３−４，３−６（図６（Ａ）参照）に注入される。つまり、円Ｃ１（図５（Ａ）参照）上の概略すり鉢状の穴３−１，３−２，３−３，３−４，３−５，３−６（図６（Ａ）参照）に対し、透光性樹脂４ａと透光性樹脂４ｂとが周方向に交互に注入される。
【０１１７】
また、第７の実施形態の電球互換型ＬＥＤランプ１００の製造時には、図６（Ｂ）に示すように、第１色の光を発する第１蛍光体が含有せしめられた透光性樹脂４ａが、反射部材３の概略すり鉢状の穴３−７，３−９，３−１１，３−１３，３−１５，３−１７（図６（Ａ）参照）に注入され、第２色の光を発する第２蛍光体が含有せしめられた透光性樹脂４ｂが、反射部材３の概略すり鉢状の穴３−８，３−１０，３−１２，３−１４，３−１６，３−１８（図６（Ａ）参照）に注入される。つまり、円Ｃ２（図５（Ａ）参照）上の概略すり鉢状の穴３−７，３−８，３−９，３−１０，３−１１，３−１２，３−１３，３−１４，３−１５，３−１６，３−１７，３−１８（図６（Ａ）参照）に対し、透光性樹脂４ａと透光性樹脂４ｂとが周方向に交互に注入される。
【０１１８】
更に、第７の実施形態の電球互換型ＬＥＤランプ１００の製造時には、図６（Ｂ）に示すように、第１色の光を発する第１蛍光体が含有せしめられた透光性樹脂４ａが、反射部材３の概略すり鉢状の穴３−２０，３−２２，３−２４，３−２６，３−２８，３−３０（図６（Ａ）参照）に注入され、第２色の光を発する第２蛍光体が含有せしめられた透光性樹脂４ｂが、反射部材３の概略すり鉢状の穴３−１９，３−２１，３−２３，３−２５，３−２７，３−２９（図６（Ａ）参照）に注入される。つまり、円Ｃ３（図５（Ａ）参照）上の概略すり鉢状の穴３−１９，３−２０，３−２１，３−２２，３−２３，３−２４，３−２５，３−２６，３−２７，３−２８，３−２９，３−３０（図６（Ａ）参照）に対し、透光性樹脂４ａと透光性樹脂４ｂとが周方向に交互に注入される。
【０１１９】
図７（Ａ）は図６（Ｂ）のＣａ−Ｃｂ−Ｃｃ−Ｃｄ線に沿った概略的な断面図、図７（Ｂ）は図６（Ｂ）のＣａ−Ｃｅ−Ｃｆ−Ｃｇ線に沿った概略的な断面図である。第７の実施形態の電球互換型ＬＥＤランプ１００では、図７（Ａ）に示すように、各ＬＥＤ光源１−５，１−１４，１−２６の周りに位置する概略すり鉢状の穴３−５，３−１４，３−２６の内周面３−５ａ，３−１４ａ，３−２６ａが反射面として機能する。また、図７（Ｂ）に示すように、各ＬＥＤ光源１−２，１−９，１−２１の周りに位置する概略すり鉢状の穴３−２，３−９，３−２１の内周面３−２ａ，３−９ａ，３−２１ａが反射面として機能する。同様に、第７の実施形態の電球互換型ＬＥＤランプ１００では、各ＬＥＤ光源１−１，１−３，１−４，１−６，１−７，１−８，１−１０，１−１１，１−１２，１−１３，１−１５，１−１６，１−１７，１−１８，１−１９，１−２０，１−２２，１−２３，１−２４，１−２５，１−２７，１−２８，１−２９，１−３０（図５（Ａ）参照）の周りに位置する概略すり鉢状の穴３−１，３−３，３−４，３−６，３−７，３−８，３−１０，３−１１，３−１２，３−１３，３−１５，３−１６，３−１７，３−１８，３−１９，３−２０，３−２２，３−２３，３−２４，３−２５，３−２７，３−２８，３−２９，３−３０（図６（Ａ）参照）の内周面（図示せず）が反射面として機能する。
【０１２０】
第７の実施形態の電球互換型ＬＥＤランプ１００では、ＬＥＤ光源１−１，…，１−３０（図５（Ａ）参照）と、基板２（図５（Ａ）および図５（Ｂ）参照）と、反射部材３（図５（Ｂ）参照）と、第１色の光を発する第１蛍光体が含有せしめられた透光性樹脂４ａ（図６（Ｂ）参照）と、第２色の光を発する第２蛍光体が含有せしめられた透光性樹脂４ｂ（図６（Ｂ）参照）とからなる組立体が、例えばねじ止めなどによってランプケース５（図３（Ｂ）および図３（Ｃ）参照）の本体部５ａ（図３（Ｂ）および図３（Ｃ）参照）に接続されている。詳細には、基板２（図４参照）の中心軸線２’（図４（Ｂ）参照）が電球互換型ＬＥＤランプ１００の中心軸線１００’（図３（Ｃ）参照）と概略一致するように、つまり、基板２の中心軸線２’がランプケース５の中心軸線と概略一致するように、上述した組立体がランプケース５の本体部５ａに接続されている。
【０１２１】
更に、第７の実施形態の電球互換型ＬＥＤランプ１００では、交流電流を直流電流に変換するための電源ユニット７（図３（Ｃ）参照）が、ランプケース５（図３（Ｂ）および図３（Ｃ）参照）の本体部５ａ（図３（Ｂ）および図３（Ｃ）参照）内に収容されている。また、外部のソケット（図示せず）から交流電流が供給されるランプケース５の給電部５ｂ（図３（Ｂ）および図３（Ｃ）参照）と、電源ユニット７とが配線部材（図示せず）によって電気的に接続されている。
【０１２２】
第７の実施形態の電球互換型ＬＥＤランプ１００では、例えばセラミックなどのような電気絶縁性を有し、かつ、熱伝導性を有する材料によって、ランプケース５（図３（Ｂ）および図３（Ｃ）参照）の本体部５ａ（図３（Ｂ）および図３（Ｃ）参照）が形成されている。第８の実施形態の電球互換型ＬＥＤランプ１００では、代わりに、電気伝導性および熱伝導性を有する金属材料によってランプケース５の本体部５ａを形成し、ランプケース５の本体部５ａと給電部５ｂとの間に電気絶縁部材を配置することも可能である。
【０１２３】
また、第７の実施形態の電球互換型ＬＥＤランプ１００では、ランプケース５（図３（Ｂ）および図３（Ｃ）参照）の給電部５ｂ（図３（Ｂ）および図３（Ｃ）参照）として口金型の給電部が用いられているが、第９の実施形態の電球互換型ＬＥＤランプ１００では、代わりに、例えば特許文献４（特開２００７−２６５７２６号公報）に記載された電球互換型ＬＥＤランプの給電部と同様の型式の給電部をランプケース５の給電部５ｂとして用いたり、例えばウエッジベース型の給電部をランプケース５の給電部５ｂとして用いたりすることも可能である。
【０１２４】
更に、第７の実施形態の電球互換型ＬＥＤランプ１００では、ＬＥＤ光源１−１，…，１−３０（図５（Ａ）参照）と、基板２（図５（Ａ）および図５（Ｂ）参照）と、反射部材３（図５（Ｂ）参照）と、第１色の光を発する第１蛍光体が含有せしめられた透光性樹脂４ａ（図６（Ｂ）参照）と、第２色の光を発する第２蛍光体が含有せしめられた透光性樹脂４ｂ（図６（Ｂ）参照）とからなる組立体が、ランプケース５（図３（Ｂ）および図３（Ｃ）参照）とカバーレンズ６（図３および図８参照）とによって画定される空間内に収容されている。また、カバーレンズ６が、例えば接着剤などによってランプケース５の本体部５ａ（図３（Ｂ）および図３（Ｃ）参照）に接続されている。詳細には、カバーレンズ６の中心軸線６’（図８（Ａ）、図８（Ｃ）および図８（Ｄ）参照）が電球互換型ＬＥＤランプ１００の中心軸線１００’（図３（Ｃ）参照）と概略一致するように、つまり、カバーレンズ６の中心軸線６’がランプケース５の中心軸線と概略一致するように、カバーレンズ６がランプケース５の本体部５ａに接続されている。
【０１２５】
また、第７の実施形態の電球互換型ＬＥＤランプ１００では、電源ユニット７（図３（Ｃ）参照）とＬＥＤ光源１−１，…，１−３０（図５（Ａ）参照）とが配線部材（図示せず）によって電気的に接続されており、ＬＥＤ光源１−１，…，１−３０に直流電流が供給される。また、ランプケース５（図３（Ｂ）および図３（Ｃ）参照）の本体部５ａ（図３（Ｂ）および図３（Ｃ）参照）内に熱伝導性樹脂（図示せず）が充填されている。
【０１２６】
詳細には、第７の実施形態の電球互換型ＬＥＤランプ１００では、図３（Ｃ）に示すように、熱伝導性樹脂（図示せず）によって基板２の裏側（図４（Ｂ）の下側）表面とランプケース５の本体部５ａとが熱的に接続されると共に、その熱伝導性樹脂（図示せず）によって電源ユニット７とランプケース５の本体部５ａとが熱的に接続されている。そのため、第７の実施形態の電球互換型ＬＥＤランプ１００によれば、基板２の裏側表面とランプケース５の本体部５ａとを熱的に接続する手段と、電源ユニット７とランプケース５の本体部５ａとを熱的に接続する手段とが別個に設けられている場合よりも、電球互換型ＬＥＤランプ１００全体のコストを削減することができる。
【０１２７】
図９〜図１２は第７の実施形態の電球互換型ＬＥＤランプ１００の特徴を説明するための図である。図１２において、６ａ１はカバーレンズ６の円筒状根元部分６ａの外側表面を示しており、６ａ２はカバーレンズ６の円筒状根元部分６ａの内側表面を示しており、６ｂ１はカバーレンズ６の半球状先端部分６ｂの外側表面を示しており、６ｂ２はカバーレンズ６の半球状先端部分６ｂの内側表面を示している。
【０１２８】
第７の実施形態の電球互換型ＬＥＤランプ１００では、図９（Ａ）に示すように、円Ｃ１（図５（Ａ）参照）上に配置されたＬＥＤ光源１−５の点灯時に、円Ｃ１上の概略すり鉢状の穴３−５に注入された透光性樹脂４ａに含有せしめられた第１蛍光体が発した第１色の光Ｌ４ａ５が、概略すり鉢状の穴３−５から照射される。同様に、円Ｃ１上に配置されたＬＥＤ光源１−１，１−３（図５（Ａ）参照）の点灯時に、円Ｃ１上の概略すり鉢状の穴３−１，３−３（図６（Ａ）参照）に注入された透光性樹脂４ａ（図６（Ｂ）参照）に含有せしめられた第１蛍光体が発した第１色の光が、概略すり鉢状の穴３−１，３−３から照射される。詳細には、透光性樹脂４ａを透過せしめられたＬＥＤ光源１−１，１−３，１−５からの光も、概略すり鉢状の穴３−１，３−３，３−５から照射される。
【０１２９】
また、第７の実施形態の電球互換型ＬＥＤランプ１００では、図９（Ｂ）に示すように、円Ｃ１（図５（Ａ）参照）上に配置されたＬＥＤ光源１−２の点灯時に、円Ｃ１上の概略すり鉢状の穴３−２に注入された透光性樹脂４ｂに含有せしめられた第２蛍光体が発した第２色の光Ｌ４ｂ２が、概略すり鉢状の穴３−２から照射される。同様に、円Ｃ１上に配置されたＬＥＤ光源１−４，１−６（図５（Ａ）参照）の点灯時に、円Ｃ１上の概略すり鉢状の穴３−４，３−６（図６（Ａ）参照）に注入された透光性樹脂４ｂ（図６（Ｂ）参照）に含有せしめられた第２蛍光体が発した第２色の光が、概略すり鉢状の穴３−４，３−６から照射される。詳細には、透光性樹脂４ｂを透過せしめられたＬＥＤ光源１−２，１−４，１−６からの光も、概略すり鉢状の穴３−２，３−４，３−６から照射される。
【０１３０】
更に、第７の実施形態の電球互換型ＬＥＤランプ１００では、図９（Ａ）に示すように、円Ｃ２（図５（Ａ）参照）上に配置されたＬＥＤ光源１−１４の点灯時に、円Ｃ２上の概略すり鉢状の穴３−１４に注入された透光性樹脂４ｂに含有せしめられた第２蛍光体が発した第２色の光Ｌ４ｂ１４が、概略すり鉢状の穴３−１４から照射される。同様に、円Ｃ２上に配置されたＬＥＤ光源１−８，１−１０，１−１２，１−１６，１−１８（図５（Ａ）参照）の点灯時に、円Ｃ２上の概略すり鉢状の穴３−８，３−１０，３−１２，３−１６，３−１８（図６（Ａ）参照）に注入された透光性樹脂４ｂ（図６（Ｂ）参照）に含有せしめられた第２蛍光体が発した第２色の光が、概略すり鉢状の穴３−８，３−１０，３−１２，３−１６，３−１８から照射される。詳細には、透光性樹脂４ｂを透過せしめられたＬＥＤ光源１−８，１−１０，１−１２，１−１４，１−１６，１−１８からの光も、概略すり鉢状の穴３−８，３−１０，３−１２，３−１４，３−１６，３−１８から照射される。
【０１３１】
また、第７の実施形態の電球互換型ＬＥＤランプ１００では、図９（Ｂ）に示すように、円Ｃ２（図５（Ａ）参照）上に配置されたＬＥＤ光源１−９の点灯時に、円Ｃ２上の概略すり鉢状の穴３−９に注入された透光性樹脂４ａに含有せしめられた第１蛍光体が発した第１色の光Ｌ４ａ９が、概略すり鉢状の穴３−９から照射される。同様に、円Ｃ２上に配置されたＬＥＤ光源１−７，１−１１，１−１３，１−１５，１−１７（図５（Ａ）参照）の点灯時に、円Ｃ２上の概略すり鉢状の穴３−７，３−１１，３−１３，３−１５，３−１７（図６（Ａ）参照）に注入された透光性樹脂４ａ（図６（Ｂ）参照）に含有せしめられた第１蛍光体が発した第１色の光が、概略すり鉢状の穴３−７，３−１１，３−１３，３−１５，３−１７から照射される。詳細には、透光性樹脂４ａを透過せしめられたＬＥＤ光源１−７，１−９，１−１１，１−１３，１−１５，１−１７からの光も、概略すり鉢状の穴３−７，３−９，３−１１，３−１３，３−１５，３−１７から照射される。
【０１３２】
更に、第７の実施形態の電球互換型ＬＥＤランプ１００では、図９（Ａ）に示すように、円Ｃ３（図５（Ａ）参照）上に配置されたＬＥＤ光源１−２６の点灯時に、円Ｃ３上の概略すり鉢状の穴３−２６に注入された透光性樹脂４ａに含有せしめられた第１蛍光体が発した第１色の光Ｌ４ａ２６が、概略すり鉢状の穴３−２６から照射される。同様に、円Ｃ３上に配置されたＬＥＤ光源１−２０，１−２２，１−２４，１−２８，１−３０（図５（Ａ）参照）の点灯時に、円Ｃ３上の概略すり鉢状の穴３−２０，３−２２，３−２４，３−２８，３−３０（図６（Ａ）参照）に注入された透光性樹脂４ａ（図６（Ｂ）参照）に含有せしめられた第１蛍光体が発した第１色の光が、概略すり鉢状の穴３−２０，３−２２，３−２４，３−２８，３−３０から照射される。詳細には、透光性樹脂４ａを透過せしめられたＬＥＤ光源１−２０，１−２２，１−２４，１−２６，１−２８，１−３０からの光も、概略すり鉢状の穴３−２０，３−２２，３−２４，３−２６，３−２８，３−３０から照射される。
【０１３３】
また、第７の実施形態の電球互換型ＬＥＤランプ１００では、図９（Ｂ）に示すように、円Ｃ３（図５（Ａ）参照）上に配置されたＬＥＤ光源１−２１の点灯時に、円Ｃ３上の概略すり鉢状の穴３−２１に注入された透光性樹脂４ｂに含有せしめられた第２蛍光体が発した第２色の光Ｌ４ｂ２１が、概略すり鉢状の穴３−２１から照射される。同様に、円Ｃ３上に配置されたＬＥＤ光源１−１９，１−２３，１−２５，１−２７，１−２９（図５（Ａ）参照）の点灯時に、円Ｃ３上の概略すり鉢状の穴３−１９，３−２３，３−２５，３−２７，３−２９（図６（Ａ）参照）に注入された透光性樹脂４ｂ（図６（Ｂ）参照）に含有せしめられた第２蛍光体が発した第２色の光が、概略すり鉢状の穴３−１９，３−２３，３−２５，３−２７，３−２９から照射される。詳細には、透光性樹脂４ｂを透過せしめられたＬＥＤ光源１−１９，１−２１，１−２３，１−２５，１−２７，１−２９からの光も、概略すり鉢状の穴３−１９，３−２１，３−２３，３−２５，３−２７，３−２９から照射される。
【０１３４】
更に、第７の実施形態の電球互換型ＬＥＤランプ１００では、粒子状反射材（図示せず）がカバーレンズ６（図３および図８参照）に含有せしめられている。
【０１３５】
そのため、第７の実施形態の電球互換型ＬＥＤランプ１００では、図１０（Ａ）に示すように、概略すり鉢状の穴３−５（図９（Ａ）参照）からの第１色の光Ｌ４ａ５（図９（Ａ）および図１０（Ａ）参照）の一部が、カバーレンズ６を透過せしめられ、透過光Ｌ４ａ５ａとなって電球互換型ＬＥＤランプ１００の照射方向（図１０（Ａ）の上側）に照射される。また、概略すり鉢状の穴３−５（図９（Ａ）参照）からの第１色の光Ｌ４ａ５（図９（Ａ）および図１０（Ａ）参照）の他の一部が、カバーレンズ６内の粒子状反射材によって反射され、反射光Ｌ４ａ５ｂとなって基板２の側（図１０（Ａ）の下側）に戻される。
【０１３６】
また、第７の実施形態の電球互換型ＬＥＤランプ１００では、図１０（Ａ）に示すように、概略すり鉢状の穴３−２６（図９（Ａ）参照）からの第１色の光Ｌ４ａ２６（図９（Ａ）および図１０（Ａ）参照）の一部が、カバーレンズ６を透過せしめられ、透過光Ｌ４ａ２６ａとなって電球互換型ＬＥＤランプ１００の照射方向（図１０（Ａ）の上側）に照射される。また、概略すり鉢状の穴３−２６（図９（Ａ）参照）からの第１色の光Ｌ４ａ２６（図９（Ａ）および図１０（Ａ）参照）の他の一部が、カバーレンズ６内の粒子状反射材によって反射され、反射光Ｌ４ａ２６ｂとなって基板２の側（図１０（Ａ）の下側）に戻される。
【０１３７】
更に、第７の実施形態の電球互換型ＬＥＤランプ１００では、図１０（Ｂ）に示すように、概略すり鉢状の穴３−９（図９（Ｂ）参照）からの第１色の光Ｌ４ａ９（図９（Ｂ）および図１０（Ｂ）参照）の一部が、カバーレンズ６を透過せしめられ、透過光Ｌ４ａ９ａとなって電球互換型ＬＥＤランプ１００の照射方向（図１０（Ｂ）の上側）に照射される。また、概略すり鉢状の穴３−９（図９（Ｂ）参照）からの第１色の光Ｌ４ａ９（図９（Ｂ）および図１０（Ｂ）参照）の他の一部が、カバーレンズ６内の粒子状反射材によって反射され、反射光Ｌ４ａ９ｂとなって基板２の側（図１０（Ｂ）の下側）に戻される。
【０１３８】
同様に、第７の実施形態の電球互換型ＬＥＤランプ１００では、概略すり鉢状の穴３−１，３−３，３−７，３−１１，３−１３，３−１５，３−１７，３−２０，３−２２，３−２４，３−２８，３−３０（図６（Ａ）参照）からの第１色の光の一部が、カバーレンズ６を透過せしめられ、電球互換型ＬＥＤランプ１００の照射方向（図１０（Ａ）および図１０（Ｂ）の上側）に照射される。また、概略すり鉢状の穴３−１，３−３，３−７，３−１１，３−１３，３−１５，３−１７，３−２０，３−２２，３−２４，３−２８，３−３０（図６（Ａ）参照）からの第１色の光の他の一部が、カバーレンズ６内の粒子状反射材によって反射され、基板２の側（図１０（Ａ）および図１０（Ｂ）の下側）に戻される。
【０１３９】
更に、第７の実施形態の電球互換型ＬＥＤランプ１００では、図１０（Ａ）に示すように、概略すり鉢状の穴３−１４（図９（Ａ）参照）からの第２色の光Ｌ４ｂ１４（図９（Ａ）および図１０（Ａ）参照）の一部が、カバーレンズ６を透過せしめられ、透過光Ｌ４ｂ１４ａとなって電球互換型ＬＥＤランプ１００の照射方向（図１０（Ａ）の上側）に照射される。また、概略すり鉢状の穴３−１４（図９（Ａ）参照）からの第２色の光Ｌ４ｂ１４（図９（Ａ）および図１０（Ａ）参照）の他の一部が、カバーレンズ６内の粒子状反射材によって反射され、反射光Ｌ４ｂ１４ｂとなって基板２の側（図１０（Ａ）の下側）に戻される。
【０１４０】
また、第７の実施形態の電球互換型ＬＥＤランプ１００では、図１０（Ｂ）に示すように、概略すり鉢状の穴３−２（図９（Ｂ）参照）からの第２色の光Ｌ４ｂ２（図９（Ｂ）および図１０（Ｂ）参照）の一部が、カバーレンズ６を透過せしめられ、透過光Ｌ４ｂ２ａとなって電球互換型ＬＥＤランプ１００の照射方向（図１０（Ｂ）の上側）に照射される。また、概略すり鉢状の穴３−２（図９（Ｂ）参照）からの第２色の光Ｌ４ｂ２（図９（Ｂ）および図１０（Ｂ）参照）の他の一部が、カバーレンズ６内の粒子状反射材によって反射され、反射光Ｌ４ｂ２ｂとなって基板２の側（図１０（Ｂ）の下側）に戻される。
【０１４１】
更に、第７の実施形態の電球互換型ＬＥＤランプ１００では、図１０（Ｂ）に示すように、概略すり鉢状の穴３−２１（図９（Ｂ）参照）からの第２色の光Ｌ４ｂ２１（図９（Ｂ）および図１０（Ｂ）参照）の一部が、カバーレンズ６を透過せしめられ、透過光Ｌ４ｂ２１ａとなって電球互換型ＬＥＤランプ１００の照射方向（図１０（Ｂ）の上側）に照射される。また、概略すり鉢状の穴３−２１（図９（Ｂ）参照）からの第２色の光Ｌ４ｂ２１（図９（Ｂ）および図１０（Ｂ）参照）の他の一部が、カバーレンズ６内の粒子状反射材によって反射され、反射光Ｌ４ｂ２１ｂとなって基板２の側（図１０（Ｂ）の下側）に戻される。
【０１４２】
同様に、第７の実施形態の電球互換型ＬＥＤランプ１００では、概略すり鉢状の穴３−４，３−６，３−８，３−１０，３−１２，３−１６，３−１８，３−１９，３−２３，３−２５，３−２７，３−２９（図６（Ａ）参照）からの第２色の光の一部が、カバーレンズ６を透過せしめられ、電球互換型ＬＥＤランプ１００の照射方向（図１０（Ａ）および図１０（Ｂ）の上側）に照射される。また、概略すり鉢状の穴３−４，３−６，３−８，３−１０，３−１２，３−１６，３−１８，３−１９，３−２３，３−２５，３−２７，３−２９（図６（Ａ）参照）からの第２色の光の他の一部が、カバーレンズ６内の粒子状反射材によって反射され、基板２の側（図１０（Ａ）および図１０（Ｂ）の下側）に戻される。
【０１４３】
また、第７の実施形態の電球互換型ＬＥＤランプ１００では、図１１（Ａ）に示すように、例えばカバーレンズ６（図１０参照）によって基板２の側に戻された第１色の光Ｌ４ａ−ｂが、反射部材３の表側（図１１（Ａ）の上側）表面のうち、基板２の中心軸線２’と概略すり鉢状の穴３−５との間の曲面部分３ａによって乱反射され、反射光Ｌ４ａ−ｃとなってカバーレンズ６の側（図１１（Ａ）の上側）に照射される。
【０１４４】
更に、第７の実施形態の電球互換型ＬＥＤランプ１００では、図１１（Ａ）に示すように、例えばカバーレンズ６（図１０参照）によって基板２の側に戻された第２色の光Ｌ４ｂ−ｂが、反射部材３の表側（図１１（Ａ）の上側）表面のうち、概略すり鉢状の穴３−５と概略すり鉢状の穴３−１４との間の曲面部分３ａによって乱反射され、反射光Ｌ４ｂ−ｃとなってカバーレンズ６の側（図１１（Ａ）の上側）に照射される。
【０１４５】
また、第７の実施形態の電球互換型ＬＥＤランプ１００では、図１１（Ａ）に示すように、例えばカバーレンズ６（図１０参照）によって基板２の側に戻された第２色の光Ｌ４ｂ−ｂが、反射部材３の表側（図１１（Ａ）の上側）表面のうち、概略すり鉢状の穴３−１４と概略すり鉢状の穴３−２６との間の曲面部分３ａによって乱反射され、反射光Ｌ４ｂ−ｃとなってカバーレンズ６の側（図１１（Ａ）の上側）に照射される。
【０１４６】
更に、第７の実施形態の電球互換型ＬＥＤランプ１００では、図１１（Ａ）に示すように、例えばカバーレンズ６（図１０参照）によって基板２の側に戻された第１色の光Ｌ４ａ−ｂが、反射部材３の表側（図１１（Ａ）の上側）表面のうち、概略すり鉢状の穴３−２６と反射部材３の外周面との間の曲面部分３ａによって乱反射され、反射光Ｌ４ａ−ｃとなってカバーレンズ６の側（図１１（Ａ）の上側）に照射される。
【０１４７】
また、第７の実施形態の電球互換型ＬＥＤランプ１００では、図１１（Ｂ）に示すように、例えばカバーレンズ６（図１０参照）によって基板２の側に戻された第２色の光Ｌ４ｂ−ｂが、反射部材３の表側（図１１（Ｂ）の上側）表面のうち、基板２の中心軸線２’と概略すり鉢状の穴３−２との間の曲面部分３ａによって乱反射され、反射光Ｌ４ｂ−ｃとなってカバーレンズ６の側（図１１（Ｂ）の上側）に照射される。
【０１４８】
更に、第７の実施形態の電球互換型ＬＥＤランプ１００では、図１１（Ｂ）に示すように、例えばカバーレンズ６（図１０参照）によって基板２の側に戻された第１色の光Ｌ４ａ−ｂが、反射部材３の表側（図１１（Ｂ）の上側）表面のうち、概略すり鉢状の穴３−２と概略すり鉢状の穴３−９との間の曲面部分３ａによって乱反射され、反射光Ｌ４ａ−ｃとなってカバーレンズ６の側（図１１（Ｂ）の上側）に照射される。
【０１４９】
また、第７の実施形態の電球互換型ＬＥＤランプ１００では、図１１（Ｂ）に示すように、例えばカバーレンズ６（図１０参照）によって基板２の側に戻された第２色の光Ｌ４ｂ−ｂが、反射部材３の表側（図１１（Ｂ）の上側）表面のうち、概略すり鉢状の穴３−９と概略すり鉢状の穴３−２１との間の曲面部分３ａによって乱反射され、反射光Ｌ４ｂ−ｃとなってカバーレンズ６の側（図１１（Ｂ）の上側）に照射される。
【０１５０】
更に、第７の実施形態の電球互換型ＬＥＤランプ１００では、図１１（Ｂ）に示すように、例えばカバーレンズ６（図１０参照）によって基板２の側に戻された第１色の光Ｌ４ａ−ｂが、反射部材３の表側（図１１（Ｂ）の上側）表面のうち、概略すり鉢状の穴３−２１と反射部材３の外周面との間の曲面部分３ａによって乱反射され、反射光Ｌ４ａ−ｃとなってカバーレンズ６の側（図１１（Ｂ）の上側）に照射される。
【０１５１】
同様に、第７の実施形態の電球互換型ＬＥＤランプ１００では、カバーレンズ６（図１０参照）によって基板２（図１０参照）の側に戻された第１色の光Ｌ４ａ−ｂ（図１１参照）が、反射部材３（図６（Ａ）参照）の表側表面のうち、概略すり鉢状の穴３−１，…，３−３０（図６（Ａ）参照）の内周面を除く曲面部分３ａ（図１１（Ａ）および図１１（Ｂ）参照）によって乱反射され、反射光Ｌ４ａ−ｃ（図１１参照）となってカバーレンズ６の側（図１１（Ａ）および図１１（Ｂ）の上側）に照射される。
【０１５２】
また、第７の実施形態の電球互換型ＬＥＤランプ１００では、カバーレンズ６（図１０参照）によって基板２（図１０参照）の側に戻された第２色の光Ｌ４ｂ−ｂ（図１１参照）が、反射部材３（図６（Ａ）参照）の表側表面のうち、概略すり鉢状の穴３−１，…，３−３０（図６（Ａ）参照）の内周面を除く曲面部分３ａ（図１１（Ａ）および図１１（Ｂ）参照）によって乱反射され、反射光Ｌ４ｂ−ｃ（図１１参照）となってカバーレンズ６の側（図１１（Ａ）および図１１（Ｂ）の上側）に照射される。
【０１５３】
換言すれば、第７の実施形態の電球互換型ＬＥＤランプ１００では、図５（Ａ）に示すように、例えば６個のＬＥＤ光源１−１，…，１−６が円Ｃ１上に環状に等間隔で配列され、例えば１２個のＬＥＤ光源１−７，…，１−１８が円Ｃ１と同心の円Ｃ２上に環状に等間隔で配列され、例えば１２個のＬＥＤ光源１−１９，…，１−３０が円Ｃ１，Ｃ２と同心の円Ｃ３上に環状に等間隔で配列されている。そのため、第７の実施形態の電球互換型ＬＥＤランプ１００によれば、複数のＬＥＤ光源が格子状に配列されている電球互換型ＬＥＤランプよりも、電球互換型ＬＥＤランプ１００の照射方向（図１０（Ａ）および図１０（Ｂ）の上側）に照射された光によって形成される配光パターンを円形にすることができる。
【０１５４】
更に、第７の実施形態の電球互換型ＬＥＤランプ１００では、図６（Ｂ）に示すように、複数の概略すり鉢状の穴３−１，…，３−３０（図６（Ａ）参照）に、第１色の光を発する第１蛍光体が含有せしめられた透光性樹脂４ａと、第２色の光を発する第２蛍光体が含有せしめられた透光性樹脂４ｂとが周方向に交互に注入されている。そのため、第７の実施形態の電球互換型ＬＥＤランプ１００によれば、第１色の光を発する第１蛍光体が含有せしめられた透光性樹脂４ａと第２色の光を発する第２蛍光体が含有せしめられた透光性樹脂４ｂとが複数の概略すり鉢状の穴３−１，…，３−３０に周方向に交互に注入されていない場合よりも、複数の概略すり鉢状の穴３−１，…，３−３０から照射された第１色の光および第２色の光の混色均一性を向上させることができる。
【０１５５】
また、第７の実施形態の電球互換型ＬＥＤランプ１００では、図１０（Ａ）および図１０（Ｂ）に示すように、概略すり鉢状の穴３−１，…，３−３０（図６（Ａ）参照）から照射された第１色の光Ｌ４ａ５，Ｌ４ａ９，Ｌ４ａ２６，…および第２色の光Ｌ４ｂ２，Ｌ４ｂ１４，Ｌ４ｂ２１，…の一部が、カバーレンズ６の粒子状反射材によって反射され、基板２の側（図１０（Ａ）および図１０（Ｂ）の下側）に戻される。そのため、第７の実施形態の電球互換型ＬＥＤランプ１００によれば、粒子状反射材がカバーレンズ６に含有せしめられておらず、複数の概略すり鉢状の穴３−１，…，３−３０から照射された第１色の光Ｌ４ａ５，Ｌ４ａ９，Ｌ４ａ２６，…および第２色の光Ｌ４ｂ２，Ｌ４ｂ１４，Ｌ４ｂ２１，…の大部分がカバーレンズ６によって反射されることなくカバーレンズ６を透過せしめられる場合よりも、複数の概略すり鉢状の穴３−１，…，３−３０から照射された第１色の光Ｌ４ａ５，Ｌ４ａ９，Ｌ４ａ２６，…および第２色の光Ｌ４ｂ２，Ｌ４ｂ１４，Ｌ４ｂ２１，…が混色する機会を増加させることができ、第１色の光Ｌ４ａ５，Ｌ４ａ９，Ｌ４ａ２６，…および第２色の光Ｌ４ｂ２，Ｌ４ｂ１４，Ｌ４ｂ２１，…の混色均一性を向上させることができる。
【０１５６】
更に、第７の実施形態の電球互換型ＬＥＤランプ１００では、図１１（Ａ）および図１１（Ｂ）に示すように、基板２の側に戻された第１色の光Ｌ４ａ−ｂおよび第２色の光Ｌ４ｂ−ｂを反射するために、反射部材３の複数の概略すり鉢状の穴３−１，…，３−３０（図６（Ａ）参照）の間の部分３ａが、平面によって構成されるのではなく、曲面によって構成されている。つまり、第７の実施形態の電球互換型ＬＥＤランプ１００では、図１１（Ａ）および図１１（Ｂ）に示すように、基板２の側に戻された第１色の光Ｌ４ａ−ｂおよび第２色の光Ｌ４ｂ−ｂが、反射部材３の複数の概略すり鉢状の穴３−１，…，３−３０の間の曲面部分３ａによって乱反射される。そのため、第７の実施形態の電球互換型ＬＥＤランプ１００によれば、基板２の側に戻された第１色の光Ｌ４ａ−ｂおよび第２色の光Ｌ４ｂ−ｂが反射部材３の複数の概略すり鉢状の穴３−１，…，３−３０の間の平面部分によって均一に反射される場合よりも、反射部材３からの第１色の反射光Ｌ４ａ−ｃおよび第２色の反射光Ｌ４ｂ−ｃが混色する機会を増加させることができ、第１色の光および第２色の光の混色均一性を向上させることができる。
【０１５７】
また、第７の実施形態の電球互換型ＬＥＤランプ１００では、図８および図１２に示すように、円筒状根元部分６ａと半球状先端部分６ｂとを有するカバーレンズ６が用いられている。詳細には、図１２に示すように、複数の概略すり鉢状の穴３−１，３−３，…，３−２８，３−３０（図６（Ａ）参照）から照射された第１色の光Ｌ４ａ−ａの一部が、カバーレンズ６の円筒状根元部分６ａの内側表面６ａ２によって全反射される。また、複数の概略すり鉢状の穴３−２，３−４，…，３−２７，３−２９（図６（Ａ）参照）から照射された第２色の光Ｌ４ｂ−ａの一部が、カバーレンズ６の円筒状根元部分６ａの内側表面６ａ２によって全反射される。
【０１５８】
そのため、第７の実施形態の電球互換型ＬＥＤランプ１００によれば、例えば円筒状根元部分６ａ（図８および図１２参照）を有さず、半球状先端部分６ｂ（図８および図１２参照）のみを有する半球状のカバーレンズが用いられ、複数の概略すり鉢状の穴３−１，３−３，…，３−２８，３−３０（図６（Ａ）参照）から照射された第１色の光Ｌ４ａ−ａ（図１２参照）がカバーレンズの内側表面によって全反射されず、複数の概略すり鉢状の穴３−２，３−４，…，３−２７，３−２９（図６（Ａ）参照）から照射された第２色の光Ｌ４ｂ−ａ（図１２参照）がカバーレンズの内側表面によって全反射されない場合よりも、複数の概略すり鉢状の穴３−１，３−３，…，３−２８，３−３０（図６（Ａ）参照）から照射された第１色の光Ｌ４ａ−ａ，Ｌ４ａ−ｂ（図１２参照）と、複数の概略すり鉢状の穴３−２，３−４，…，３−２７，３−２９（図６（Ａ）参照）から照射された第２色の光Ｌ４ｂ−ａ，Ｌ４ｂ−ｂ（図１２参照）とが混色する機会を増加させることができ、第１色の光Ｌ４ａ−ａ，Ｌ４ａ−ｂおよび第２色の光Ｌ４ｂ−ａ，Ｌ４ｂ−ｂの混色均一性を向上させることができる。
【０１５９】
第７の実施形態の電球互換型ＬＥＤランプ１００では、図５（Ａ）に示すように、円Ｃ１上にＬＥＤ光源１−１，１−２，１−３，１−４，１−５，１−６が配置され、円Ｃ２上にＬＥＤ光源１−７，１−８，１−９，１−１０，１−１１，１−１２，１−１３，１−１４，１−１５，１−１６，１−１７，１−１８が配置され、円Ｃ３上にＬＥＤ光源１−１９，１−２０，１−２１，１−２２，１−２３，１−２４，１−２５，１−２６，１−２７，１−２８，１−２９，１−３０が配置されているが、第１０の実施形態の電球互換型ＬＥＤランプ１００では、代わりに、円Ｃ３上のＬＥＤ光源１−１９，１−２０，１−２１，１−２２，１−２３，１−２４，１−２５，１−２６，１−２７，１−２８，１−２９，１−３０を省略することも可能である。つまり、ＬＥＤ光源１−１，…，Ｌ１−１８からの光によって、電球互換型ＬＥＤランプ１００の照射方向（図１０（Ａ）および図１０（Ｂ）の上側）に十分な明るさの光を照射することができ、かつ、複数の概略すり鉢状の穴３−１，３−３，…，３−１５，３−１７（図６（Ａ）参照）から照射された第１色の光と、複数の概略すり鉢状の穴３−２，３−４，…，３−１６，３−１８（図６（Ａ）参照）から照射された第２色の光との混色均一性を十分に向上させることができる場合には、円Ｃ３上のＬＥＤ光源１−１９，１−２０，１−２１，１−２２，１−２３，１−２４，１−２５，１−２６，１−２７，１−２８，１−２９，１−３０を省略することも可能である。
【０１６０】
図１３は第１１の実施形態の電球互換型ＬＥＤランプ１００における図７と同様の断面図である。第７の実施形態の電球互換型ＬＥＤランプ１００では、図７（Ａ）および図７（Ｂ）に示すように、複数の概略すり鉢状の穴３−１，３−２，…，３−５，…，３−９，…，３−１４，…，３−２１，…，３−２６，…，３−３０（図６（Ａ）、図７（Ａ）および図７（Ｂ）参照）の間の部分３ａが凸状の曲面によって構成されているが、第１１の実施形態の電球互換型ＬＥＤランプ１００では、代わりに、図１３（Ａ）および図１３（Ｂ）に示すように、複数の概略すり鉢状の穴３−１，３−２，…，３−５，…，３−９，…，３−１４，…，３−２１，…，３−２６，…，３−３０（図６（Ａ）、図１３（Ａ）および図１３（Ｂ）参照）の間の部分３ａが凹状の曲面によって構成されている。第１１の実施形態の電球互換型ＬＥＤランプ１００によっても、第７の実施形態の電球互換型ＬＥＤランプ１００とほぼ同様の効果を奏することができる。
【０１６１】
第１２の実施形態では、上述した第１から第１１の実施形態を適宜組み合わせることも可能である。
【符号の説明】
【０１６２】
１−１，…，１−３０，１１ａ，１１ｂ，１１ｃ，２１ａ，２１ｂ  ＬＥＤ光源
２，１２，２２                                                基板
３，１３，２３                                                反射部材
３ａ，１３ａ，２３ａ                                          部分
３−１，…，３−３０，１３−１，２３−１，２３−２            穴
４ａ，４ｂ，１４ａ，１４ｂ，２４ａ，２４ｂ                    透光性樹脂
５                                                            ランプケース
５ｂ                                                          給電部
６，１６，２６                                                カバーレンズ
１００                                                        ＬＥＤランプ
【図１】
2012074417.tif 000003
【図２】
2012074417.tif 000004
【図３】
2012074417.tif 000005
【図４】
2012074417.tif 000006
【図５】
2012074417.tif 000007
【図６】
2012074417.tif 000008
【図７】
2012074417.tif 000009
【図８】
2012074417.tif 000010
【図９】
2012074417.tif 000011
【図１０】
2012074417.tif 000012
【図１１】
2012074417.tif 000013
【図１２】
2012074417.tif 000014
【図１３】
2012074417.tif 000015